(57)【要約】【課題】投射される画像の劣化を抑制できるプロジェクターを提供すること。【解決手段】プロジェクターは、光源装置、光変調装置及び投射光学装置と、光源装置を冷却する冷却装置とを備え、光源装置は、複数の第１発光素子が配設された第１光源と、複数の第２発光素子が配設された第２光源と、第１光源から出射された光及び第２光源から出射された光を合成する光合成部材とを有し、冷却装置は、第１方向に温度差が大きくなるように複数の第１発光素子を、内部に形成された流路を流通する液体冷媒によって冷却する第１冷却部と、第２方向に温度差が大きくなるように複数の第２発光素子を、内部に形成された流路を流通する液体冷媒によって冷却する第２冷却部とを有し、第１光源と第２光源とは、光合成部材において、複数の第１発光素子の温度差によって生じる照度分布と、複数の第２発光素子の温度差によって生じる照度分布とが相殺されるように配置されている。【選択図】図１１
2020079950.tif 000002
【特許請求の範囲】
【請求項１】
光源装置と、
前記光源装置から出射された光を変調する光変調装置と、
前記光変調装置によって変調された光を投射する投射光学装置と、
前記光源装置を冷却する冷却装置と、を備え、
前記光源装置は、
複数の第１発光素子が配設された第１光源と、
複数の第２発光素子が配設された第２光源と、
前記第１光源から出射された光、及び、前記第２光源から出射された光を合成する光合成部材と、を有し、
前記冷却装置は、
第１方向に温度差が大きくなるように前記複数の第１発光素子を、内部に形成された流路を流通する液体冷媒によって冷却する第１冷却部と、
第２方向に温度差が大きくなるように前記複数の第２発光素子を、内部に形成された流路を流通する液体冷媒によって冷却する第２冷却部と、
内部を流通する液体冷媒を分流して、前記第１冷却部及び前記第２冷却部に流通させる分流部と、を有し、
前記第１光源と前記第２光源とは、前記光合成部材において、前記複数の第１発光素子の温度差によって生じる照度分布と、前記複数の第２発光素子の温度差によって生じる照度分布とが相殺されるように配置されていることを特徴とするプロジェクター。
【請求項２】
請求項１に記載のプロジェクターにおいて、
前記第１冷却部は、前記第１光源による光の出射側とは反対側から見て、前記第１冷却部の前記流路が前記複数の第１発光素子と重なるように配置され、
前記第２冷却部は、前記第２光源による光の出射側とは反対側から見て、前記第２冷却部の前記流路が前記複数の第２発光素子と重なるように配置されることを特徴とするプロジェクター。
【請求項３】
請求項１又は請求項２に記載のプロジェクターにおいて、
前記第１冷却部は、前記第１冷却部の前記流路によって前記第１方向に温度差を生じさせ、
前記第２冷却部は、前記第２冷却部の前記流路によって前記第２方向に温度差を生じさせることを特徴とするプロジェクター。
【請求項４】
請求項１から請求項３のいずれか一項に記載のプロジェクターにおいて、
前記第１冷却部及び前記第２冷却部のうち少なくとも１つの冷却部は、
前記少なくとも１つの冷却部に流通する液体冷媒を内部に流入させる流入部と、
前記少なくとも１つの冷却部を流通した液体冷媒を流出させる流出部と、
前記流入部から前記流出部に向かって、蛇行した流路を形成する流路形成部と、を有することを特徴とするプロジェクター。
【請求項５】
請求項４に記載のプロジェクターにおいて、
前記流路形成部は、少なくとも３以上の奇数回、液体冷媒の流通方向を反転させることを特徴とするプロジェクター。
【請求項６】
請求項１から請求項５のいずれか一項に記載のプロジェクターにおいて、
前記第１光源及び前記第２光源のそれぞれの温度を検出する温度検出部と、
前記第１光源及び前記第２光源に駆動電流を供給して、前記第１光源及び前記第２光源を点灯させる点灯制御部と、を備え、
前記点灯制御部は、前記第１光源の温度及び前記第２光源の温度のうち、少なくとも１つの光源の温度が所定値未満である場合に、当該少なくとも１つの光源の温度が前記所定値以上である場合に前記少なくとも１つの光源に供給される駆動電流の電流値よりも低い駆動電流を前記少なくとも１つの光源に供給することを特徴とするプロジェクター。
【請求項７】
光源装置と、
前記光源装置から出射された光を変調する光変調装置と、
前記光変調装置によって変調された光を投射する投射光学装置と、
前記光源装置を冷却する冷却装置と、を備え、
前記光源装置は、
複数の第１発光素子が配設された第１光源と、
複数の第２発光素子が配設された第２光源と、
前記第１光源から出射された光、及び、前記第２光源から出射された光を合成する光合成部材と、
前記第１光源及び前記第２光源が固定される金属筐体と、を有し、
前記冷却装置は、
第１方向に温度差が大きくなるように前記複数の第１発光素子を、内部に形成された流路を流通する液体冷媒によって冷却する第１冷却部と、
第２方向に温度差が大きくなるように前記複数の第２発光素子を、内部に形成された流路を流通する液体冷媒によって冷却する第２冷却部と、を有し、
前記第１光源と前記第２光源とは、前記光合成部材において、前記複数の第１発光素子の温度差によって生じる照度分布と、前記複数の第２発光素子の温度差によって生じる照度分布とが相殺されるように配置され、
前記第１冷却部及び前記第２冷却部は、前記金属筐体に対して絶縁対象としてそれぞれ絶縁されていることを特徴とするプロジェクター。
【請求項８】
請求項７に記載のプロジェクターにおいて、
前記金属筐体に設けられ、内部を流通する液体冷媒を分流して、前記第１冷却部及び前記第２冷却部に流通させる分流部を備え、
前記分流部は、前記金属筐体に対して絶縁対象として絶縁されていることを特徴とするプロジェクター。
【請求項９】
請求項７又は請求項８に記載のプロジェクターにおいて、
前記金属筐体に設けられ、前記第１冷却部を流通した液体冷媒と、前記第２冷却部を流通した液体冷媒とを合流させる合流部を備え、
前記合流部は、前記金属筐体に対して絶縁対象として絶縁されていることを特徴とするプロジェクター。
【請求項１０】
請求項７から請求項９のいずれか一項に記載のプロジェクターにおいて、
前記金属筐体内に配置され、前記金属筐体内の気体の熱を、内部を流通する液体冷媒に伝達させ、前記気体を冷却する熱交換器を備え、
前記熱交換器は、前記金属筐体に対して絶縁対象として絶縁されていることを特徴とするプロジェクター。
【請求項１１】
請求項７から請求項１０のいずれか一項に記載のプロジェクターにおいて、
前記金属筐体と、内部を液体冷媒が流通し前記金属筐体に対して絶縁される前記絶縁対象との間には、第１絶縁部材が配置されることを特徴とするプロジェクター。
【請求項１２】
請求項７から請求項１１のいずれか一項に記載のプロジェクターにおいて、
前記絶縁対象は、前記金属筐体に取付部材によって取り付けられ、
前記取付部材と前記絶縁対象との間には、第２絶縁部材が配置されることを特徴とするプロジェクター。
【請求項１３】
請求項７から請求項１２のいずれか一項に記載のプロジェクターにおいて、
前記金属筐体は、前記絶縁対象を位置決めする位置決め突起を有し、
前記絶縁対象は、前記位置決め突起が挿入される位置決め孔を有し、
前記位置決め突起と前記位置決め孔の内面との間には、第３絶縁部材が配置されることを特徴とするプロジェクター。
【発明の詳細な説明】
【技術分野】
【０００１】
本発明は、プロジェクターに関する。
【背景技術】
【０００２】
従来、光源から出射された光を変調して画像情報に応じた画像を形成及び投射するプロジェクターが知られている。このようなプロジェクターとして、液体冷媒を流通させて、光源を冷却するプロジェクターが知られている（例えば、特許文献１参照）。
【０００３】
この特許文献１に記載のプロジェクター（投射型映像表示装置）は、それぞれ光源としての赤色ＬＥＤ、緑色ＬＥＤ及び青色ＬＥＤと、これらＬＥＤを冷却する冷却手段と、を備える。これらのうち、冷却手段は、各ＬＥＤに結合した熱伝導部と、ラジエータと、これら熱伝導部及びラジエータの間に液体冷媒を循環させるポンプと、を備える。そして、熱伝導部にてＬＥＤから液体冷媒に伝達された熱は、当該液体冷媒が流通するラジエータにて放熱され、これにより、各ＬＥＤが冷却される。
【先行技術文献】
【特許文献】
【０００４】
【特許文献１】特開２００８−８９９１７号公報
【発明の概要】
【発明が解決しようとする課題】
【０００５】
上記特許文献１に記載のプロジェクターでは、赤色ＬＥＤ、緑色ＬＥＤ及び青色ＬＥＤは、それぞれ複数のＬＥＤによって構成されていることから、それぞれＬＥＤアレイと言うことができる。このようなＬＥＤアレイでは、周縁側に配設されたＬＥＤは、比較的温度が低い周辺気体に接触しやすいことから温度が低くなりやすいが、中心側に配設されたＬＥＤは、比較的温度が高くなりやすい。すなわち、光源アレイの各ＬＥＤには、温度差が生じやすい。
【０００６】
これに対し、上記特許文献１に記載のプロジェクターでは、液体冷媒を流通させて各ＬＥＤアレイを冷却している。しかしながら、このような液体冷媒は、流通するに従ってＬＥＤの熱が伝達されて温度が上昇するので、当該液体冷媒の上流側に位置するＬＥＤは冷却されやすく、下流側に位置するＬＥＤは冷却されにくい。このため、ＬＥＤアレイに配設された各ＬＥＤの温度を均一にすることは困難である。
そして、ＬＥＤ等の固体光源は、温度が高いと発光輝度が低く、温度が低いと発光輝度が高い特性を有する。
これらのことから、液体冷媒によって冷却されるＬＥＤアレイから輝度分布が均一な光束を出射することは困難であり、当該ＬＥＤアレイを有するプロジェクターでは、形成される画像に輝度むら等の劣化が生じやすいという問題がある。特に、高輝度画像を形成するために、より多くの固体光源が配設された光源を有するプロジェクターでは、上記問題は一層顕著となる。
【０００７】
本発明は、上記課題の少なくとも一部を解決することを目的としたものであり、投射される画像の劣化を抑制できるプロジェクターを提供することを目的の１つとする。
【課題を解決するための手段】
【０００８】
本発明の一態様に係るプロジェクターは、光源装置と、前記光源装置から出射された光を変調する光変調装置と、前記光変調装置によって変調された光を投射する投射光学装置と、前記光源装置を冷却する冷却装置と、を備え、前記光源装置は、複数の第１発光素子が配設された第１光源と、複数の第２発光素子が配設された第２光源と、前記第１光源から出射された光、及び、前記第２光源から出射された光を合成する光合成部材と、を有し、前記冷却装置は、第１方向に温度差が大きくなるように前記複数の第１発光素子を、内部に形成された流路を流通する液体冷媒によって冷却する第１冷却部と、第２方向に温度差が大きくなるように前記複数の第２発光素子を、内部に形成された流路を流通する液体冷媒によって冷却する第２冷却部と、を有し、前記第１光源と前記第２光源とは、前記光合成部材において、前記複数の第１発光素子の温度差によって生じる照度分布と、前記複数の第２発光素子の温度差によって生じる照度分布とが相殺されるように配置されていることを特徴とする。
【０００９】
このような構成によれば、第１冷却部によって、第１方向に温度差が大きくなるように複数の第１発光素子が冷却されるので、第１光源から出射される光束は、第１方向に照度分布が変化する光束となる。また、第２冷却部によって、第２方向に温度差が大きくなるように複数の第２発光素子が冷却されるので、第２光源から出射される光束は、第２方向に照度分布が変化する光束となる。そして、これら第１光源及び第２光源は、光合成部材において、それぞれから出射される光束の照度分布が相殺されるように配置されるので、これら光源から出射されて光合成部材によって合成された光束を、照度分布（輝度分布）が略均一な光束とすることができる。従って、このような光束を変調して形成される投射画像に輝度むらが生じることを抑制でき、当該投射画像の劣化を抑制できる。
【００１０】
上記一態様では、前記第１冷却部は、前記第１光源による光の出射側とは反対側から見て、前記第１冷却部の前記流路が前記複数の第１発光素子と重なるように配置され、前記第２冷却部は、前記第２光源による光の出射側とは反対側から見て、前記第２冷却部の前記流路が前記複数の第２発光素子と重なるように配置されることが好ましい。
このような構成によれば、複数の第１発光素子にて生じた熱を、第１冷却部内の流路を流通する液体冷媒に伝達させやすくすることができ、また、複数の第２発光素子にて生じた熱を、第２冷却部内の流路を流通する液体冷媒に伝達させやすくすることができる。従って、複数の第１発光素子及び複数の第２発光素子を効果的に冷却できる。
【００１１】
上記一態様では、前記第１冷却部は、前記第１冷却部の前記流路によって前記第１方向に温度差を生じさせ、前記第２冷却部は、前記第２冷却部の前記流路によって前記第２方向に温度差を生じさせることが好ましい。
このような構成によれば、上記温度差を、液体冷媒の流路によって生じさせることができる。従って、第１光源及び第２光源から出射される各光束に上記照度分布を確実に生じさせることができる。
【００１２】
上記一態様では、前記第１冷却部及び前記第２冷却部のうち少なくとも１つの冷却部は、前記少なくとも１つの冷却部に流通する液体冷媒を内部に流入させる流入部と、前記少なくとも１つの冷却部を流通した液体冷媒を流出させる流出部と、前記流入部から前記流出部に向かって、蛇行した流路を形成する流路形成部と、を有することが好ましい。
このような構成によれば、液体冷媒の流路が蛇行していることによって、当該液体冷媒の流路を長くすることができる。これにより、当該流路の上流側と下流側とで液体冷媒の温度差、すなわち、液体冷媒による冷却効率の差を生じさせることができ、ひいては、発光素子の温度差を生じさせることができる。そして、当該温度差は、流入部から流出部に向かって大きくなるので、上記温度差を確実に発生させることができる。従って、第１光源及び第２光源のうち、上記少なくとも１つの冷却部によって冷却される光源から出射される光束に上記照度分布を生じさせることができる。そして、上記のように第１光源及び第２光源が配置されることによって、照度分布が略均一な光束を光源装置から出射でき、上記投射画像に劣化が生じることを抑制できる。
【００１３】
上記一態様では、前記流路形成部は、少なくとも３以上の奇数回、液体冷媒の流通方向を反転させることが好ましい。
ここで、液体冷媒の流通方向の反転回数（折返し回数）が偶数である場合には、当該流通方向における流入部の位置と流出部の位置とが互いに反対側となる。
これに対し、上記反転回数が奇数回であることによって、当該流通方向における流入部の位置と流出部の位置とを同じ側に位置させることができる。従って、冷却部への配管を容易に行うことができる。
【００１４】
上記一態様では、前記第１光源及び前記第２光源のそれぞれの温度を検出する温度検出部と、前記第１光源及び前記第２光源に駆動電流を供給して、前記第１光源及び前記第２光源を点灯させる点灯制御部と、を備え、前記点灯制御部は、前記第１光源の温度及び前記第２光源の温度のうち、少なくとも１つの光源の温度が所定値未満である場合に、当該少なくとも１つの光源の温度が前記所定値以上である場合に前記少なくとも１つの光源に供給される駆動電流の電流値よりも低い駆動電流を前記少なくとも一方の光源に供給することが好ましい。
ここで、上記のように、発光素子は、温度が高いと発光輝度が低くなり、温度が低いと発光輝度が高くなる。このため、発光素子の点灯を継続して当該発光素子の温度が高くなると、第１光源及び第２光源から出射された光束の光量が低下し、ひいては、投射画像の輝度が低下する。
また、発光素子は、供給される駆動電流の電流値によって、発光輝度が変化する。
これに対し、温度が低い場合には、高い場合に上記少なくとも１つの光源に供給される駆動電流の電流値より低い電流値の駆動電流が当該少なくとも１つの光源に供給されることによって、温度変化に伴う発光素子の発光輝度の変化を上記電流値の変化によって抑制できる。従って、上記少なくとも１つの光源から出射される光束の光量を略一定に保つことができるので、投射画像の輝度変化を抑制できる。
【００１５】
上記一態様では、前記第１光源及び前記第２光源が固定される金属筐体を備え、前記第１冷却部及び前記第２冷却部は、前記金属筐体に対して絶縁対象としてそれぞれ絶縁されていることが好ましい。
ここで、プロジェクター等の電子機器では、内部に配置された制御装置や電源装置から電磁波が発生する。この電磁波が、グランドに接続された金属製部材に伝播されると、当該金属製部材に電流が流れることがある。このような金属製部材に液体が流通していると、当該液体との界面にて腐食が発生することがあり、当該腐食は液漏れの要因となる。
これに対し、第１冷却部及び第２冷却部は、金属筐体に対して絶縁対象としてそれぞれ絶縁されている。これによれば、上記電磁波が伝播された場合でも、第１冷却部及び第２冷却部に電流が流れることを抑制できる。従って、上記腐食が発生することを抑制でき、液漏れ等の不具合が発生することを抑制できる。
【００１６】
上記一態様では、前記金属筐体に設けられ、内部を流通する液体冷媒を分流して、前記第１冷却部及び前記第２冷却部に流通させる分流部を備え、前記分流部は、前記金属筐体に対して絶縁対象として絶縁されていることが好ましい。
このような構成によれば、分流部にて上記腐食が発生することを抑制できるので、液体冷媒の流量が比較的多い分流部にて、液漏れが発生することを抑制できる。
【００１７】
上記一態様では、前記金属筐体に設けられ、前記第１冷却部を流通した液体冷媒と、前記第２冷却部を流通した液体冷媒とを合流させる合流部を備え、前記合流部は、前記金属筐体に対して絶縁対象として絶縁されていることが好ましい。
このような構成によれば、上記分流部と同様に、液体冷媒の流量が比較的多い合流部にて、液漏れが発生することを抑制できる。
【００１８】
上記一態様では、前記金属筐体内に配置され、前記金属筐体内の気体の熱を、内部を流通する液体冷媒に伝達させ、前記気体を冷却する熱交換器を備え、前記熱交換器は、前記金属筐体に対して絶縁対象として絶縁されていることが好ましい。
このような構成によれば、熱交換器にて腐食が発生することを抑制できるので、当該熱交換器に液漏れが発生することを抑制でき、ひいては、金属筐体内に液体冷媒が漏出することを抑制できる。また、上記腐食の発生を抑制できるので、熱交換器内に詰まりが生じることを抑制でき、当該熱交換器の性能低下を抑制できる。
【００１９】
上記一態様では、前記金属筐体と、内部を液体冷媒が流通し前記金属筐体に対して絶縁される前記絶縁対象との間には、第１絶縁部材が配置されることが好ましい。
このような構成によれば、金属筐体に対して絶縁対象を確実に絶縁できる。従って、当該絶縁対象に腐食が発生することを確実に抑制できる。
【００２０】
上記一態様では、前記絶縁対象は、前記金属筐体に取付部材によって取り付けられ、前記取付部材と前記絶縁対象との間には、第２絶縁部材が配置されることが好ましい。
なお、取付部材としては、ねじを例示できる。
ここで、取付部材が金属製部材である場合、当該取付部材を介して金属筐体と絶縁対象とが電気的に接続されてしまうおそれがある。
これに対して、上記構成によれば、取付部材と絶縁対象との間に第２絶縁部材が配置されることによって、当該取付部材を介して金属筐体と絶縁対象とが電気的に接続されることを抑制できる。従って、金属筐体に対して絶縁対象を確実に絶縁できる。
【００２１】
上記一態様では、前記金属筐体は、前記絶縁対象を位置決めする位置決め突起を有し、前記絶縁対象は、前記位置決め突起が挿入される位置決め孔を有し、前記位置決め突起と前記位置決め孔の内面との間には、第３絶縁部材が配置されることが好ましい。
このような構成によれば、位置決め突起を介して金属筐体と絶縁対象とが電気的に接続されることを抑制できる。従って、金属筐体に対して絶縁対象を確実に絶縁できる。
【図面の簡単な説明】
【００２２】
【図１】本発明の一実施形態に係るプロジェクターの構成を示す模式図。
【図２】上記実施形態における画像投射装置の構成を示す模式図。
【図３】上記実施形態における光源装置を示す平面図。
【図４】上記実施形態における冷却装置の構成を示す模式図。
【図５】上記実施形態における第１光源を光出射側から見た斜視図。
【図６】上記実施形態における光源モジュールを示す断面図。
【図７】上記実施形態における光源冷却部を光出射側から見た斜視図。
【図８】上記実施形態における第１部材を光源アレイとは反対側から見た図。
【図９】上記実施形態における第２部材を第１部材側から見た図。
【図１０】上記実施形態における光源冷却部内の液体冷媒の流路を示す図。
【図１１】上記実施形態における第１光源及び第２光源の配置を示す図。
【図１２】上記実施形態における制御装置の構成を示すブロック図。
【図１３】上記実施形態における光源用筐体及び接続部材を示す平面図。
【図１４】上記実施形態における光源用筐体から光源冷却部を分離させた状態を示す斜視図。
【図１５】上記実施形態における取付部及び光源冷却部とを示す断面図。
【図１６】上記実施形態における第３熱交換器及び絶縁部材を示す図。
【図１７】上記実施形態における分流部を示す斜視図。
【図１８】上記実施形態における分流部を示す断面図。
【発明を実施するための形態】
【００２３】
以下、本発明の一実施形態について、図面に基づいて説明する。
［プロジェクターの概略構成］
図１は、本実施形態に係るプロジェクター１の構成を示す模式図である。
本実施形態に係るプロジェクター１は、光源装置４１から出射される光を変調して画像情報に応じた画像を形成し、当該画像をスクリーン等の被投射面上に拡大投射する投射型表示装置である。このプロジェクター１は、図１に示すように、外装を構成する外装筐体２と、当該外装筐体２内に収容される装置本体３と、を備える。
このようなプロジェクター１は、詳しくは後述するが、光源の配置、及び、冷却対象を冷却する冷却装置５の構成に特徴の１つを有する。
以下、プロジェクター１の構成について、詳述する。
【００２４】
［外装筐体の構成］
外装筐体２は、略直方体形状に形成されている。この外装筐体２は、正面部２３、背面部２４、右側面部２５（正面部２３側から見て右側に位置する側面部）及び左側面部２６（正面部２３側から見て左側に位置する側面部）を有する他、それぞれ図示を省略するが、これら面部２３〜２６の一端側を接続する天面部と、これら面部２３〜２６の他端側を接続する底面部と、を有する。なお、底面部は、プロジェクター１の設置面に当接可能な複数の脚部を有する。
【００２５】
正面部２３は、後述する投射光学装置４８の一部を露出させる開口部２３１と、当該開口部２３１に対して左側面部２６側及び右側面部２５側に位置し、外装筐体２の外部の気体を冷却気体として内部に取り込む導入口２３２，２３３とを有する。
背面部２４は、外装筐体２内を流通した気体を外装筐体２外に排出する排出口２４１，２４２を有する。これらのうち、排出口２４１は、背面部２４において右側面部２５側に位置し、排出口２４２は、左側面部２６側に位置している。
【００２６】
なお、以下の説明では、互いに交差する＋Ｚ方向、＋Ｘ方向及び＋Ｙ方向のうち、＋Ｚ方向を、背面部２４から正面部２３に向かう方向とする。また、＋Ｘ方向を、左側面部２６から右側面部２５に向かう方向とし、＋Ｙ方向を、底面部から天面部に向かう方向とする。すなわち、＋Ｚ方向は、図１の図面視で下側から上側に向かう方向であり、＋Ｘ方向は、右側から左側に向かう方向であり、＋Ｙ方向は、奥側から手前側に向かう方向である。また、図示を省略するが、＋Ｚ方向の反対方向を−Ｚ方向とする。−Ｘ方向及び−Ｙ方向も同様である。なお、以下の説明では、＋Ｚ方向、＋Ｘ方向及び＋Ｙ方向は、それぞれ互いに直交する方向（垂直な方向）として規定している。
【００２７】
［装置本体の構成］
装置本体３は、外装筐体２に収容されるプロジェクター１の内部構成である。この装置本体３は、画像投射装置４、冷却装置５及び電源装置８を備える。この他、図１では図示を省略するが、装置本体３は、プロジェクター１の動作を制御する制御装置９（図１２参照）を備える。
これらのうち、電源装置８は、外装筐体２内において右側面部２５に沿って配置されている。この電源装置８は、外部から供給される電力を変圧して、プロジェクター１を構成する各電子部品に供給する。
【００２８】
［画像投射装置の構成］
図２は、画像投射装置４の構成を示す模式図である。
画像投射装置４は、上記制御装置９から入力される画像情報に応じた画像を形成及び投射するものであり、外装筐体２内において、＋Ｚ方向側で−Ｘ方向側に配置されている。この画像投射装置４は、図２に示すように、光源装置４１、画像形成装置４２及び投射光学装置４８を有する。
【００２９】
［光源装置の構成］
図３は、光源装置４１を示す平面図（＋Ｙ方向側から見た図）である。なお、図３においては、光源装置４１を構成する光源用筐体ＬＣについて、光源用筐体ＬＣの蓋部材を取り外した状態の光源装置４１を示している。
光源装置４１は、赤、緑及び青の各色光を含む照明光を画像形成装置４２に出射する。この光源装置４１は、図３に示すように、光源用筐体ＬＣと、当該光源用筐体ＬＣにそれぞれ取り付けられる光源部４１０、アフォーカル光学素子４１１、第１位相差素子４１２、ホモジナイザー光学素子４１３、光合成素子４１４、第２位相差素子４１５、第１集光素子４１６、光拡散装置４１７、第２集光素子４１８、波長変換装置４１９及び第３位相差素子ＲＰと、を備える。
【００３０】
光源用筐体ＬＣは、内部に略密閉された第２空間Ｓ２を形成する金属筐体である。この光源用筐体ＬＣ内には、上記構成４１１〜４１９，ＲＰが配置される。より具体的には、光源用筐体ＬＣは、光源部４１０から出射される光に作用させる光学素子に相当する上記構成４１１〜４１９，ＲＰを内部に収納し、保持する。また、光源部４１０は、一部が光源用筐体ＬＣ外に露出するように、当該光源用筐体ＬＣに取り付けられる。
そして、光源部４１０、アフォーカル光学素子４１１、第１位相差素子４１２、ホモジナイザー光学素子４１３、第２位相差素子４１５、第１集光素子４１６及び光拡散装置４１７は、光源用筐体ＬＣに設定された第１照明光軸Ａｘ１上に配置される。一方、第２集光素子４１８、波長変換装置４１９及び第３位相差素子ＲＰは、同じく光源用筐体ＬＣに設定され、第１照明光軸Ａｘ１に交差する第２照明光軸Ａｘ２上に配置される。この第２照明光軸Ａｘ２の延長線上に、後述する均一化装置４３が配置される。
また、光合成素子４１４は、第１照明光軸Ａｘ１と第２照明光軸Ａｘ２との交差部分に配置される。
【００３１】
［光源部の構成］
光源部４１０は、光源光を出射する。この光源部４１０は、第１光源４１０１、第２光源４１０２及び光合成部材４１０３を有する。これら第１光源４１０１及び第２光源４１０２は、金属筺体である光源用筐体ＬＣにそれぞれ固定される。
第１光源４１０１は、光出射面がＸＹ平面に沿い、かつ、＋Ｚ方向を向くように光源用筐体ＬＣに取り付けられ、当該＋Ｚ方向に光源光を出射する。
第２光源４１０２は、光出射面がＸＺ平面に沿い、かつ、＋Ｙ方向を向くように光源用筐体ＬＣに取り付けられ、当該＋Ｙ方向に光源光を出射する。
光合成部材４１０３は、第１光源４１０１から＋Ｚ方向に出射された光源光と、第２光源４１０２から＋Ｙ方向に出射された光源光とを合成して、＋Ｚ方向に出射する。このような光合成部材４１０３としては、ストライプミラーを例示できる。
これらのうち、第１光源４１０１及び第２光源４１０２については、後に詳述する。
【００３２】
［アフォーカル光学素子の構成］
アフォーカル光学素子４１１は、光源部４１０から入射される光源光を縮径した後、平行化して出射する。このようなアフォーカル光学素子４１１としては、当該光源光を縮径する凸レンズと、当該凸レンズを通過した光源光を平行化する凹レンズとの組合せを例示できる。
【００３３】
［第１位相差素子の構成］
第１位相差素子４１２は、詳細な図示を省略するが、１／４波長板及び回動装置を有する。
１／４波長板は、アフォーカル光学素子４１１から入射されるｓ偏光の光源光のうち、一部をｐ偏光の光源光に変換して、ｓ偏光とｐ偏光とが混在した光源光に変換する。
回動装置は、１／４波長板を第１照明光軸Ａｘ１と平行な回動軸を中心として回動させて、１／４波長板を通過した光源光に含まれるｓ偏光及びｐ偏光の割合を調整する。これにより、第１位相差素子４１２から出射される光源光のうち、後述する光拡散装置４１７に入射されるｐ偏光の光源光と、後述する波長変換装置４１９に入射されるｓ偏光の光源光の光量比率が調整され、光源装置４１から出射される照明光のホワイトバランスが調整される。
【００３４】
［ホモジナイザー光学素子の構成］
ホモジナイザー光学素子４１３は、光拡散装置４１７及び波長変換装置４１９における被照明領域に入射される光源光の照度分布を均一化する。このようなホモジナイザー光学素子４１３としては、２つのマルチレンズを例示できる。
なお、ホモジナイザー光学素子４１３は、第１位相差素子４１２の光出射側に限らず、アフォーカル光学素子４１１と第１位相差素子４１２との間に配置されていてもよい。
【００３５】
［光合成素子の構成］
光合成素子４１４は、第１照明光軸Ａｘ１及び第２照明光軸Ａｘ２のそれぞれに対して略４５°傾斜した偏光分離層を有する。
この偏光分離層は、ホモジナイザー光学素子４１３を介して入射される光源光に含まれるｓ偏光とｐ偏光とを分離する特性を有し、また、波長変換装置４１９にて生じる蛍光を、当該蛍光の偏光状態に依らずに通過させる特性を有する。すなわち、当該偏光分離層は、青色光についてはｓ偏光とｐ偏光とを分離するが、緑色光及び赤色光についてはｓ偏光及びｐ偏光のそれぞれを通過させる、波長選択性の偏光分離特性を有する。
このように光分離素子としても機能する光合成素子４１４によって、ホモジナイザー光学素子４１３から入射された光源光のうち、ｐ偏光は、第１照明光軸Ａｘ１に沿って第２位相差素子４１５側に通過され、ｓ偏光は、第２照明光軸Ａｘ２に沿って第２集光素子４１８側に反射される。また、光合成素子４１４は、第２位相差素子４１５を介して入射される光源光と、第２集光素子４１８を介して入射される蛍光とを合成する。
【００３６】
［第２位相差素子及び第１集光素子の構成］
第２位相差素子４１５は、１／４波長板であり、光合成素子４１４から入射されるｐ偏光の光源光を円偏光の光源光に変換し、第１集光素子４１６から入射される光源光（当該円偏光とは逆廻りの円偏光）をｓ偏光に変換する。
第１集光素子４１６は、第２位相差素子４１５を通過した光源光を光拡散装置４１７に集光（集束）させ、また、光拡散装置４１７から入射される光源光を平行化する。
【００３７】
［光拡散装置の構成］
光拡散装置４１７は、光拡散素子４１７１と、当該光拡散素子４１７１を回転させる回転装置４１７２と、を有する。
これらのうち、光拡散素子４１７１は、回転装置４１７２による回転軸を中心とする環状の反射層を有する。当該反射層は、波長変換装置４１９にて生成及び出射される蛍光と同様の拡散角で、入射される光源光を拡散させる。具体的に、当該反射層は、入射光をランバート反射させる。
【００３８】
このような光拡散素子４１７１にて拡散反射された光源光は、第１集光素子４１６を介して再び第２位相差素子４１５に入射される。この光拡散素子４１７１にて反射される時に、当該光拡散素子４１７１に入射された円偏光は逆廻りの円偏光となり、第２位相差素子４１５を通過する過程にて、光合成素子４１４を通過するｐ偏光の光源光に対して偏光方向が９０°回転されたｓ偏光の光源光に変換される。このｓ偏光の光源光は、上記光合成素子４１４によって第２照明光軸Ａｘ２に沿うように反射され、第３位相差素子ＲＰを介して、画像形成装置４２に青色光として入射される。
【００３９】
［第２集光素子の構成］
第２集光素子４１８には、ホモジナイザー光学素子４１３を通過して上記光合成素子４１４にて反射されたｓ偏光の光源光が入射される。この第２集光素子４１８は、入射される光源光を波長変換装置４１９の被照明領域（波長変換素子４１９１の波長変換層）に集光し、また、当該波長変換装置４１９から入射される蛍光を平行化する。
【００４０】
［波長変換装置の構成］
波長変換装置４１９は、波長変換素子４１９１と、当該波長変換素子４１９１を回転させる回転装置４１９２と、を有する。
波長変換素子４１９１は、入射された光の波長を変換する光学素子である。この波長変換素子４１９１は、図示を省略するが、円盤状の支持体と、当該支持体において光源光の入射側の面に位置する波長変換層及び反射層と、を有する。
波長変換層は、上記光源光の入射によって励起されて非偏光光である蛍光（例えば５００〜７００ｎｍの波長域にピーク波長を有する蛍光）を拡散出射する蛍光体を含む蛍光体層である。すなわち、波長変換層は、入射される青色光を当該蛍光に波長変換する。このような波長変換層にて生じる蛍光の一部は、第２集光素子４１８側に出射され、他の一部は、反射層側に出射される。
反射層は、波長変換層と支持体との間に配置され、当該波長変換層から入射される蛍光を第２集光素子４１８側に反射させる。
【００４１】
このような波長変換素子４１９１から拡散出射された蛍光は、第２照明光軸Ａｘ２に沿って、第２集光素子４１８、光合成素子４１４及び第３位相差素子ＲＰを通過して、画像形成装置４２に入射される。すなわち、当該蛍光は、光合成素子４１４を通過することにより、当該光合成素子４１４にて青色光である光源光と合成され、白色の照明光として、第３位相差素子ＲＰを介して画像形成装置４２に入射される。
【００４２】
［第３位相差素子の構成］
第３位相差素子ＲＰは、１／４波長板であり、光合成素子４１４から入射される照明光をｓ偏光及びｐ偏光が混在する円偏光に変換する。このような第３位相差素子ＲＰが設けられるのは、当該照明光に含まれる蛍光が非偏光光であるのに対し、青色光がｓ偏光であることから、後述する偏光変換素子４３３の光出射面から青色光がストライプ状に出射されて、投射される画像に色むらが発生することを抑制するためである。
【００４３】
［画像形成装置の構成］
画像形成装置４２は、上記光源装置４１から入射される照明光を変調して、投射光学装置４８によって投射される画像を形成する。この画像形成装置４２は、図２に示すように、均一化装置４３、色分離装置４４、リレー装置４５、光学部品用筐体４６及び電気光学装置４７を有する。
【００４４】
［均一化装置の構成］
均一化装置４３は、光源装置４１から入射される照明光の照度分布を均一化する。このような均一化装置４３は、第１レンズアレイ４３１、第２レンズアレイ４３２、偏光変換素子４３３及び重畳レンズ４３４を有する。
【００４５】
これらのうち、偏光変換素子４３３は、詳しい図示を省略するが、偏光分離層、反射層及び位相差層をそれぞれ複数有する。
複数の偏光分離層及び複数の反射層は、＋Ｙ方向に長く形成され、＋Ｚ方向に交互に配列されている。なお、各偏光分離層は、第２レンズアレイ４３２から出射された各部分光束が入射される位置に配置されている。また、各反射層は、当該各部分光束が直接入射されない位置に配置されている。
偏光分離層は、ｐ偏光を通過させ、ｓ偏光を反射させる。偏光分離層に応じて設けられた反射層は、当該偏光分離層にて反射されたｓ偏光を、ｐ偏光の通過方向に沿うように反射させる。そして、複数の位相差層のそれぞれは、偏光分離層を通過したｐ偏光の光路上に設けられ、入射されるｐ偏光をｓ偏光に変換する。これにより、偏光変換素子４３３から出射される光の偏光方向は、ｓ偏光に揃えられ、当該ｓ偏光が、偏光変換素子４３３の光出射面における略全面から出射される。なお、偏光変換素子４３３は、ｐ偏光に揃えてｐ偏光を出射する構成としてもよい。
【００４６】
［色分離装置の構成］
色分離装置４４は、均一化装置４３から入射される光束を、赤（Ｒ）、緑（Ｇ）及び青（Ｂ）の３つの色光に分離する。この色分離装置４４は、ダイクロイックミラー４４１，４４２、反射ミラー４４３を有する。この他、色分離装置４４は、ダイクロイックミラー４４１にて反射された青色光ＬＢが入射されるレンズ、及び、当該ダイクロイックミラー４４１を通過した緑色光ＬＧ及び赤色光ＬＲが入射されるレンズを備えていてもよい。
【００４７】
［リレー装置の構成］
リレー装置４５は、ダイクロイックミラー４４２を通過した赤色光ＬＲの光路上に設けられ、当該赤色光ＬＲを、赤色光ＬＲ用のフィールドレンズ４７１に導く。このリレー装置４５は、入射側レンズ４５１、反射ミラー４５２、リレーレンズ４５３及び反射ミラー４５４を備える。なお、本実施形態では、リレー装置４５は赤色光ＬＲを通す構成としたが、これに限らず、例えば青色光ＬＢを通す構成としてもよい。
【００４８】
［光学部品用筐体の構成］
光学部品用筐体４６は、内部に照明光軸Ａｘが設定された箱状筐体である。この光学部品用筐体４６内における照明光軸Ａｘ上の位置に、上記均一化装置４３、色分離装置４４及びリレー装置４５が配置される。光源装置４１は、上記第２照明光軸Ａｘ２が照明光軸Ａｘに対応するように配置される。また、電気光学装置４７及び投射光学装置４８も、当該照明光軸Ａｘに応じて配置される。
このような光学部品用筐体４６は、他の筐体と組み合わされて、後述する密閉筐体５１１を構成する。この密閉筐体５１１によって、内部が略密閉された第１空間Ｓ１が形成される。このような密閉筐体５１１内には、上記偏光変換素子４３３及び電気光学装置４７が配置される。
【００４９】
［電気光学装置の構成］
電気光学装置４７は、分離された各色光を変調した後、変調された各色光を合成して、画像光を形成する。この電気光学装置４７は、色光毎にそれぞれ設けられるフィールドレンズ４７１及び光変調装置４７２と、１つの色合成装置４７６と、を有する。
フィールドレンズ４７１は、入射光を平行化するレンズであり、上記光学部品用筐体４６に形成された溝部に挿入されて配置される。
光変調装置４７２（赤、緑及び青用の光変調装置を、それぞれ４７２Ｒ，４７２Ｇ，４７２Ｂとする）は、光源装置４１から出射された光を変調する。より具体的には、光変調装置４７２は、対応するフィールドレンズ４７１を介して入射される色光を画像情報に応じて変調して画像を形成する。この光変調装置４７２は、本実施形態では、液晶パネル４７４と、当該液晶パネル４７４に対する光入射側及び光出射側に位置する入射側偏光板４７３及び出射側偏光板４７５と、を有する。すなわち、本実施形態では、光変調装置４７２は、液晶ライトバルブによって構成されている。
【００５０】
これらのうち、液晶パネル４７４は、図示を省略するが、液晶が封入されたパネル本体と、当該パネル本体を内部に収容するとともに、液体冷媒（後述する第２冷媒ＲＥ２）が流通する流路が内部に形成された冷却部と、を有する。この冷却部には、パネル本体の熱だけでなく、入射側偏光板４７３及び出射側偏光板４７５の熱も伝達される。そして、冷却部は、パネル本体及び各偏光板４７３，４７５から伝達される熱を液体冷媒に伝達して、これらパネル本体及び各偏光板４７３，４７５を冷却する。
【００５１】
色合成装置４７６は、略四角柱状に形成されたクロスダイクロイックプリズムにより構成されている。この色合成装置４７６は、各光変調装置４７２を通過した色光が入射される３つの入射面と、当該色光を合成した画像光が出射される出射面とを有する。この出射面は、投射光学装置４８と対向している。
このような色合成装置４７６の各入射面には、保持部材（図示省略）を介して、対応する光変調装置４７２がそれぞれ取り付けられている。これにより、色合成装置４７６と光変調装置４７２とは一体化される。以下、これら光変調装置４７２と色合成装置４７６とが一体化された構成を、画像形成ユニットＦＵと呼称する場合がある。
【００５２】
［投射光学装置の構成］
投射光学装置４８は、外装筐体２の開口部２３１（図１参照）から一部が露出するように配置される。この投射光学装置４８は、色合成装置４７６（画像形成装置４２）から入射される画像光を上記被投射面上に拡大投射して、当該画像光により形成される画像を表示させる。このような投射光学装置４８は、鏡筒内に複数のレンズが配置された組レンズとして構成できる。
【００５３】
［冷却装置の構成］
図４は、冷却装置５の構成を示す模式図である。
冷却装置５は、プロジェクター１を構成する冷却対象を冷却する。この冷却装置５は、画像投射装置４を冷却する構成として、図４に示すように、第１循環流路５１、第２循環流路５２、第３循環流路５３及び第４循環流路５４を備える。これら循環流路５１〜５４は、気体冷媒又は液体冷媒を循環させ、これらによって冷却対象を冷却する。
以下、各循環流路５１〜５４について説明する。
【００５４】
［第１循環流路の構成］
第１循環流路５１は、密閉筐体５１１内の気体である第１冷媒ＲＥ１が循環する流路であり、当該第１冷媒ＲＥ１によって、冷却対象である光変調装置４７２及び偏光変換素子４３３を冷却する。この第１循環流路５１は、密閉筐体５１１、循環ファン５１２、送風ファン５１３〜５１５及び第１熱交換器５２１を備えて構成される。
なお、第１冷媒ＲＥ１は、気体であればよく、空気以外の気体（窒素ガスやヘリウムガス等）であってもよい。
【００５５】
密閉筐体５１１は、上記のように光学部品用筐体４６と他の筐体とが組み合わされて構成され、内部に上記第１空間Ｓ１を形成する。この密閉筐体５１１内には、光変調装置４７２及び偏光変換素子４３３と、循環ファン５１２、送風ファン５１３〜５１５及び第１熱交換器５２１と、が配置される。
第１熱交換器５２１は、第１循環流路５１及び後述する第２循環流路５２を構成する。この第１熱交換器５２１は、内部を流通する第２冷媒ＲＥ２に第１冷媒ＲＥ１の熱を伝達することによって、当該第１冷媒ＲＥ１を冷却する。
循環ファン５１２は、第１熱交換器５２１にて冷却された第１冷媒ＲＥ１を密閉筐体５１１内にて循環させるファンである。
【００５６】
送風ファン５１３，５１４は、本実施形態では、光変調装置４７２Ｒ，４７２Ｇ，４７２Ｂ毎にそれぞれ設けられ、対応する光変調装置４７２に第１冷媒ＲＥ１を流通させる。詳述すると、送風ファン５１３は、対応する光変調装置４７２の入射側偏光板４７３及び液晶パネル４７４に第１冷媒ＲＥ１を送出する。また、送風ファン５１４は、対応する光変調装置４７２の液晶パネル４７４及び出射側偏光板４７５に第１冷媒ＲＥ１を送出する。なお、送風ファン５１３，５１４は、それぞれ１つずつ設けられ、送風ファン５１３から送出された第１冷媒ＲＥ１を分流して各光変調装置４７２に流通させてもよく、送風ファン５１４から送出された第１冷媒ＲＥ１を分流して各光変調装置４７２に流通させてもよい。
送風ファン５１５は、第１冷媒ＲＥ１を偏光変換素子４３３に流通させる。
【００５７】
このような第１循環流路５１では、偏光変換素子４３３及び各光変調装置４７２を冷却した第１冷媒ＲＥ１は、循環ファン５１２によって吸引されて第１熱交換器５２１に流通する。そして、第１熱交換器５２１によって冷却された第１冷媒ＲＥ１は、再度、光変調装置４７２及び偏光変換素子４３３に流通する。このように、第１冷媒ＲＥ１は、密閉筐体５１１内を循環する。
【００５８】
［第２循環流路の構成］
第２循環流路５２は、液体冷媒である第２冷媒ＲＥ２が循環する流路であり、第１冷媒ＲＥ１を冷却するとともに、各光変調装置４７２の液晶パネル４７４を冷却する。この第２循環流路５２は、上記第１熱交換器５２１、タンク５２２、ポンプ５５及び第２熱交換器５６と、これらを接続する複数の接続部材ＣＭと、を備えて構成されている。
なお、複数の接続部材ＣＭは、内部を第２冷媒ＲＥ２が流通可能に形成された管状部材である。また、第２冷媒ＲＥ２としては、水やプロピレングリコール等の不凍液を例示できる。
【００５９】
第１熱交換器５２１は、上記のように、第１冷媒ＲＥ１を冷却する。
タンク５２２は、第２冷媒ＲＥ２を一時的に貯留する。このタンク５２２に貯留された第２冷媒ＲＥ２は、ポンプ５５によって吸引される。
【００６０】
ポンプ５５は、圧送部５５１及び流入室５５２，５５３を有する。
流入室５５２には、タンク５２２から第２冷媒ＲＥ２が流入される。この流入室５５２に流入された第２冷媒ＲＥ２は、圧送部５５１の駆動によって、第２熱交換器５６の受熱部５６１を介して第１熱交換器５２１に流通される。また、流入室５５３には、後述する第３循環流路５３を循環する第３冷媒ＲＥ３が流入される。この流入室５５３に流入された第３冷媒ＲＥ３については、後に詳述する。
【００６１】
第２熱交換器５６は、ポンプ５５によって圧送された第２冷媒ＲＥ２が流通する受熱部５６１と、第３冷媒ＲＥ３が流通する放熱部５６２と、当該受熱部５６１によって受熱された第２冷媒ＲＥ２の熱を放熱部５６２に伝達する熱伝達部５６３と、を備える。この第２熱交換器５６によって、第３冷媒ＲＥ３に熱が伝達されて冷却された第２冷媒ＲＥ２は、上記第１熱交換器５２１に流通される。なお、本実施形態では、受熱部５６１から放熱部５６２への熱伝達効率を高めるために、熱伝達部５６３にはペルチェ素子が用いられている。しかしながら、これに限らず、このようなペルチェ素子は無くてもよい。
【００６２】
ここで、複数の接続部材ＣＭのうち、第２熱交換器５６にて冷却された第２冷媒ＲＥ２が流通する接続部材ＣＭ１は、第１熱交換器５２１に接続される配管ＣＭ１１と、液晶パネル４７４に接続される配管ＣＭ１２と、これら配管ＣＭ１１，ＣＭ１２を接続し、当該配管ＣＭ１１，ＣＭ１２に第２冷媒ＲＥ２を分流する分岐部ＣＭ１３と、を有する。このような接続部材ＣＭ１の構成により、当該接続部材ＣＭ１に流入された第２冷媒ＲＥ２のうち、一部は第１熱交換器５２１に流通し、他の一部は液晶パネル４７４に流通する。すなわち、各光変調装置４７２は、第１冷媒ＲＥ１だけでなく、第２冷媒ＲＥ２によっても冷却される。
【００６３】
また、複数の接続部材ＣＭのうち、タンク５２２に第２冷媒ＲＥ２を流通させる接続部材ＣＭ２は、第１熱交換器５２１に接続される配管ＣＭ２１と、液晶パネル４７４に接続される配管ＣＭ２２と、これら配管ＣＭ２１，ＣＭ２２を接続する合流部ＣＭ２３と、を有する。このような接続部材ＣＭ２によって、第１熱交換器５２１を流通した第２冷媒ＲＥ２と、液晶パネル４７４を流通した第２冷媒ＲＥ２とは、合流部ＣＭ２３にて合流されて、タンク５２２に流通する。
【００６４】
なお、本実施形態では、配管ＣＭ１２を介して流通する第２冷媒ＲＥ２は、各光変調装置４７２の液晶パネル４７４を順に流通する。このため、第２冷媒ＲＥ２の流通方向における最も上流側の液晶パネル４７４は、配管ＣＭ１２に接続され、当該液晶パネル４７４は、他の液晶パネル４７４とパイプを介して接続される。そして、最も下流側に位置する液晶パネル４７４は、上記配管ＣＭ２２に接続されている。
しかしながら、これに限らず、各液晶パネル４７４を配管ＣＭ１２に接続し、各液晶パネル４７４を配管ＣＭ２２に接続する構成としてもよい。
【００６５】
このような第２循環流路５２では、タンク５２２に貯留された第２冷媒ＲＥ２は、ポンプ５５によって吸引されて、第２熱交換器５６に圧送される。この第２熱交換器５６の受熱部５６１を流通して冷却された第２冷媒ＲＥ２は、接続部材ＣＭ１によって、第１熱交換器５２１と各液晶パネル４７４（各光変調装置４７２）とに流通する。これら第１熱交換器５２１及び各光変調装置４７２の熱が伝達された第２冷媒ＲＥ２は、接続部材ＣＭ２を介してタンク５２２に流入され、当該タンク５２２にて再度貯留される。このように、第２冷媒ＲＥ２は、第１冷媒ＲＥ１の熱が伝達された第１熱交換器５２１と各光変調装置４７２とを冷却しつつ、第２循環流路５２を循環する。なお、上記のように、第２冷媒ＲＥ２の熱は、第２熱交換器５６にて第３冷媒ＲＥ３に伝達される。
【００６６】
［第４循環流路の構成］
ここで、第４循環流路５４について先に説明する。
第４循環流路５４は、上記光源用筐体ＬＣの内部に設けられた第２空間Ｓ２内の気体である第４冷媒ＲＥ４を循環させて、当該第２空間Ｓ２に位置する冷却対象である光拡散装置４１７及び波長変換装置４１９を冷却する流路である。この第４循環流路５４は、光源用筐体ＬＣと、第２空間Ｓ２にそれぞれ配置される第３熱交換器５３３及び循環ファン５４１と、を備える。なお、第４冷媒ＲＥ４は、第１冷媒ＲＥ１と成分が同じでも異なっていてもよい。
【００６７】
第３熱交換器５３３は、第４循環流路５４及び後述する第３循環流路５３を構成する。この第３熱交換器５３３は、内部を流通する第３冷媒ＲＥ３に、第４冷媒ＲＥ４の熱を伝達させて、当該第４冷媒ＲＥ４を冷却する。このような第３熱交換器５３３は、図３にて示したように、光源用筐体ＬＣ内において光拡散装置４１７に対する＋Ｚ方向側の位置に配置されている。
【００６８】
循環ファン５４１は、図４に示すように、第２空間Ｓ２にて第４冷媒ＲＥ４を循環させる。この循環ファン５４１は、第３熱交換器５３３にて冷却された第４冷媒ＲＥ４を光拡散装置４１７及び波長変換装置４１９に流通させ、これらを冷却する。
なお、図４においては、第４冷媒ＲＥ４は、光拡散装置４１７を流通した後、波長変換装置４１９に流通するように図示されている。しかしながら、第４冷媒ＲＥ４の流通順は逆でもよく、第４冷媒ＲＥ４の流路は、２つに分流された第４冷媒ＲＥ４が光拡散装置４１７及び波長変換装置４１９のそれぞれに流通する流路としてもよい。
【００６９】
［第３循環流路の構成］
第３循環流路５３は、液体冷媒である第３冷媒ＲＥ３を循環させて、第２冷媒ＲＥ２及び第４冷媒ＲＥ４を冷却し、また、上記第１光源４１０１及び第２光源４１０２を冷却する流路である。この第３循環流路５３は、タンク５３１、ポンプ５５、第１ラジエータ５３２、第３熱交換器５３３、光源冷却部６（６Ａ，６Ｂ）、第２ラジエータ５３４及び第２熱交換器５６と、これらを接続する複数の接続部材ＣＮと、を備えて構成されている。
これらのうち、複数の接続部材ＣＮは、内部を第３冷媒ＲＥ３が流通可能な管状部材である。なお、第３冷媒ＲＥ３の成分は、第２冷媒ＲＥ２の成分は同じであってもよく、異なっていてもよい。
【００７０】
タンク５３１は、上記第２熱交換器５６の放熱部５６２と接続され、第３冷媒ＲＥ３を一時的に貯留する。
ポンプ５５は、上記圧送部５５１によって、タンク５３１から流入室５５３に流入された第３冷媒ＲＥ３を、接続部材ＣＮのうち接続部材ＣＮ１を介して第１ラジエータ５３２に圧送する。
【００７１】
第１ラジエータ５３２は、第３冷媒ＲＥ３の流路において第３熱交換器５３３に対して直近の上流に位置し、当該第３熱交換器５３３に流通する第３冷媒ＲＥ３を冷却する。具体的に、第１ラジエータ５３２は、ポンプ５５から圧送されて内部を流通する第３冷媒ＲＥ３から受熱した熱を、当該第１ラジエータ５３２に流通する冷却気体に伝達し、これにより、第３冷媒ＲＥ３を冷却する。なお、第１ラジエータ５３２に冷却気体を流通させる冷却ファンＦＮ４（図１参照）については、後に詳述する。
第３熱交換器５３３は、上記のように光源用筐体ＬＣ内に配置され、第４冷媒ＲＥ４の熱を、第１ラジエータ５３２から流通する第３冷媒ＲＥ３に伝達して、当該第４冷媒ＲＥ４を冷却する。この第３熱交換器５３３を流通した第３冷媒ＲＥ３は、接続部材ＣＮのうち接続部材ＣＮ２を介して各光源冷却部６に流通する。
【００７２】
光源冷却部６は、第１光源４１０１及び第２光源４１０２（図３参照）のそれぞれに設けられ、対応する光源をそれぞれ冷却する。これら光源冷却部６のうち、第１光源４１０１に設けられる光源冷却部６を光源冷却部６Ａとし、第２光源４１０２に設けられる光源冷却部６を光源冷却部６Ｂとする。光源冷却部６Ａは、第１冷却部に相当する。また、光源冷却部６Ｂは、第２冷却部に相当する。
【００７３】
これら光源冷却部６Ａ，６Ｂのそれぞれには、内部に微細流路が複数形成されており、接続部材ＣＮ２に設けられた分流部ＣＮ２１にて分流された第３冷媒ＲＥ３が当該微細流路を流通する。そして、光源冷却部６Ａ，６Ｂは、対応する光源から伝達された熱を第３冷媒ＲＥ３に伝達して、当該光源を冷却する。これら光源冷却部６Ａ，６Ｂを流通した第３冷媒ＲＥ３は、接続部材ＣＮのうち接続部材ＣＮ３に設けられた後述する合流部ＣＮ３１にて合流され、当該接続部材ＣＮ３を介して第２ラジエータ５３４に流通する。このような光源冷却部６については、後に詳述する。
【００７４】
図４に示すように、分流部ＣＮ２１は、接続部材ＣＮ２において、第３冷媒ＲＥの流通方向において２つの光源冷却部６Ａ，６Ｂの上流側に設けられており、第３熱交換器５３３から接続部材ＣＮ２内を通って流通する第３冷媒ＲＥ３を、光源冷却部６Ａに向かって流通する第３冷媒ＲＥ３と、光源冷却部６Ｂに向かって流通する第３冷媒ＲＥ３とに分流する。一方、合流部ＣＮ３１は、接続部材ＣＮ３において、第３冷媒ＲＥの流通方向において２つの光源冷却部６Ａ，６Ｂの下流側に設けられており、光源冷却部６Ａを流通した後の第３冷媒ＲＥ３と、光源冷却部６Ｂを流通した後の第３冷媒ＲＥ３とを合流させる。分流部ＣＮ２１については、後に詳述する。
【００７５】
第２ラジエータ５３４は、当該第２ラジエータ５３４に流通される冷却気体に、内部を流通する第３冷媒ＲＥ３の熱を伝達して、当該第３冷媒ＲＥ３を冷却する。この第２ラジエータ５３４によって冷却された第３冷媒ＲＥ３は、上記第２熱交換器５６の放熱部５６２に流通される。なお、第２ラジエータ５３４に冷却気体を流通させる冷却ファンＦＮ５（図１参照）については、後に詳述する。
【００７６】
このような第３循環流路５３では、タンク５３１に貯留された第３冷媒ＲＥ３は、ポンプ５５によって圧送され、第１ラジエータ５３２を介して、光源用筐体ＬＣ内の第３熱交換器５３３に供給される。この第３熱交換器５３３によって第４冷媒ＲＥ４が冷却され、当該第３熱交換器５３３を流通した第３冷媒ＲＥ３は、光源冷却部６Ａ，６Ｂを流通して、第１光源４１０１及び第２光源４１０２を冷却する。これら光源冷却部６Ａ，６Ｂを流通した第３冷媒ＲＥ３は、第２ラジエータ５３４にて冷却された後、第２熱交換器５６の放熱部５６２に流通する。この放熱部５６２にて第２冷媒ＲＥ２の熱が伝達された第３冷媒ＲＥ３は、タンク５３１に再度貯留される。このように、第３冷媒ＲＥ３は、第３循環流路５３を循環する。
【００７７】
［ファンの配置］
冷却装置５は、上記構成の他、図１に示すように、外装筐体２内にそれぞれ設けられる吸気ファンＦＮ１，ＦＮ２、排気ファンＦＮ３及び冷却ファンＦＮ４，ＦＮ５を備える。
吸気ファンＦＮ１，ＦＮ２は、それぞれ、外装筐体２の正面部２３に位置する導入口２３２，２３３に応じて設けられ、当該導入口２３２，２３３を介して、外装筐体２外の気体を冷却気体として内部に導入する。
排気ファンＦＮ３は、外装筐体２の背面部２４に位置する排出口２４１に応じて設けられ、外装筐体２内を流通して、冷却対象を冷却した冷却気体を、当該排出口２４１を介して外装筐体２の外部に排出する。
【００７８】
冷却ファンＦＮ４，ＦＮ５は、それぞれ、背面部２４に位置する排出口２４２に応じて設けられている。これら冷却ファンＦＮ４，ＦＮ５によって流通される冷却気体の上流側（すなわち＋Ｚ方向側）には、上記第１ラジエータ５３２及び第２ラジエータ５３４が配置される。
これら冷却ファンＦＮ４，ＦＮ５が駆動されると、外装筐体２内に導入された冷却気体が第１ラジエータ５３２及び第２ラジエータ５３４に流通し、これらラジエータ５３２，５３４によって、第３冷媒ＲＥ３の熱が、流通する冷却気体に伝達される。これにより、第３冷媒ＲＥ３が冷却される。そして、ラジエータ５３２，５３４を流通した冷却気体は、冷却ファンＦＮ４，ＦＮ５によって、排出口２４２から外装筐体２外に排出される。
【００７９】
［第１光源及び第２光源の構成］
図５は、第１光源４１０１を光出射側から見た斜視図である。なお、図５においては、見易さを考慮して、一部の符号を省略する。
上記第１光源４１０１は、図５に示すように、第１発光素子としての固体光源ＳＳが複数配列された光源アレイＳＡと、光源冷却部６Ａと、を有する。すなわち、第１光源４１０１には、複数の第１発光素子が配設されている。
なお、第２光源４１０２も、第２発光素子としての固体光源ＳＳが複数配列された光源アレイＳＡと、光源冷却部６Ｂとを有する。すなわち、第２光源４１０２には、複数の第２発光素子が配設されている。なお、第２光源４１０２は、当該第１光源４１０１と同様の構成であるので、説明を省略する。
【００８０】
［光源アレイの構成］
光源アレイＳＡは、固体光源ＳＳがマトリクス状に複数配列された構成を有する。詳述すると、光源アレイＳＡは、所定数の固体光源ＳＳが縦横に配列された光源モジュールＳＭが、当該光源モジュールＳＭの短手方向に沿って複数配列された構成を有する。
なお、本実施形態では、固体光源ＳＳとして、ピーク波長が４４０ｎｍの青色光を光源光として出射するＬＤ（Laser Diode）が採用されている。しかしながら、これに限らず、ピーク波長が４４６ｎｍの青色光や４６０ｎｍの青色光を出射するＬＤを採用してもよく、ＬＥＤ（Light Emitting Diode）等の他の固体光源を採用してもよい。
【００８１】
図６は、光源モジュールＳＭを示す断面図である。
光源モジュールＳＭは、図５及び図６に示すように、複数の固体光源ＳＳと、当該複数の固体光源ＳＳを支持する略直方体形状の支持部ＳＭ１と、を備える。
支持部ＳＭ１は、それぞれ略円柱状に切り欠かれた複数の凹部ＳＭ２を有し、当該支持部ＳＭ１の長手方向に沿って５つずつ２列形成されている。これら凹部ＳＭ２の底部には、図６に示すように、孔部ＳＭ３が形成されている。そして、各凹部ＳＭ２内には、固体光源ＳＳにおいて素子部ＳＳ１から延出する端子部ＳＳ２が孔部ＳＭ３を挿通するようにして、当該固体光源ＳＳが配置される。
これら凹部ＳＭ２に固体光源ＳＳが配置された状態では、図６に示すように、素子部ＳＳ１におけるステムＳＳ１１が、凹部ＳＭ２の底部と接触し、当該素子部ＳＳ１にて生じた熱が支持部ＳＭ１に伝達される。
また、孔部ＳＭ３を挿通した端子部ＳＳ２は、支持部ＳＭ１において固体光源ＳＳの光出射側とは反対側に設けられるプリント基板ＰＣと接続される。
なお、１つの支持部ＳＭ１における凹部ＳＭ２の数及び並び、すなわち、固体光源ＳＳの数及び並びは、適宜変更可能である。
【００８２】
このような支持部ＳＭ１における四隅には、図５に示すように、当該支持部ＳＭ１（すなわち、光源モジュールＳＭ）を光源冷却部６Ａに固定するねじＳＣ１が挿通する孔部ＳＭ４が形成されている。これら孔部ＳＭ４のいずれかには、温度検出部Ｔｈ１が設けられている。この温度検出部Ｔｈ１は、当該温度検出部Ｔｈ１が設けられた光源モジュールＳＭの温度を検出し、検出した温度を制御装置９に出力する。すなわち、第１光源４１０１に設けられた温度検出部Ｔｈ１は、当該第１光源４１０１の温度を検出する。また、第２光源４１０２に設けられた温度検出部Ｔｈ１は、当該第２光源４１０２の温度を検出する。
【００８３】
［光源冷却部の構成］
図７は、光源冷却部６Ａを光源アレイＳＡ側（光出射側）から見た斜視図である。
光源冷却部６（６Ａ）は、光源アレイＳＡを支持するとともに、内部の流路を流通する液体冷媒（第３冷媒ＲＥ３）に光源アレイＳＡから伝達される熱を伝達して、当該光源アレイＳＡを冷却する。この光源冷却部６Ａは、図７に示すように、光源アレイＳＡ側から見て長方形状に形成されている。このような光源冷却部６Ａは、光源アレイＳＡが固定される第１部材６１と、当該第１部材６１において光源アレイＳＡが取り付けられる側とは反対側に位置する第２部材６３と、を備え、これら第１部材６１及び第２部材６３が組み合わされて構成される。
【００８４】
なお、以下の光源冷却部６の説明において、当該光源冷却部６に取り付けられる光源アレイＳＡによる光の出射方向を＋Ｎ方向とする。また、当該＋Ｎ方向にそれぞれ交差し、かつ、互いに交差する＋Ｌ方向及び＋Ｍ方向のうち、光源冷却部６の長手方向と平行な方向を＋Ｌ方向とし、短手方向と平行な方向を＋Ｍ方向とする。また、図示を省略するが、＋Ｎ方向とは反対方向を−Ｎ方向とする。−Ｌ方向及び−Ｍ方向も同様である。なお、本実施形態では、＋Ｌ方向、＋Ｍ方向及び＋Ｎ方向は、互いに直交する方向として規定している。
【００８５】
［第１部材の構成］
第１部材６１は、熱伝導性を有する金属によって形成されている。この第１部材６１は、図７に示すように、＋Ｎ方向側の面６１Ａに、各光源モジュールＳＭが取り付けられる複数の取付部６１１と、当該各光源モジュールＳＭを位置決めする複数の位置決め部６１２と、第１部材６１の両端に位置する２つの第１固定部６１３と、第１部材６１の周縁に位置する第２固定部６１６と、を有する。
【００８６】
複数の取付部６１１（６１１Ａ，６１１Ｂ）のそれぞれは、面６１Ａから＋Ｎ方向に突出し、かつ、＋Ｍ方向に延出する突条であり、＋Ｌ方向に沿って配列されている。これら取付部６１１は、光源モジュールＳＭの数に応じて設けられている。具体的に、本実施形態の光源アレイＳＡは、６つの光源モジュールＳＭを有することから、第１部材６１は、７つの取付部６１１を有する。
これら取付部６１１のうち、＋Ｌ方向における両端に位置する２つの取付部６１１Ａは、＋Ｍ方向側及び−Ｍ方向側のそれぞれの端部に、上記ねじＳＣ１が固定されるねじ孔６１１１を有する。
また、取付部６１１のうち、２つの取付部６１１Ａに挟まれる５つの取付部６１１Ｂは、＋Ｍ方向側及び−Ｍ方向側のそれぞれの端部に、＋Ｌ方向に沿う２つのねじ孔６１１１を有する。これらねじ孔６１１１にも、上記ねじＳＣ１が固定される。
【００８７】
複数の位置決め部６１２は、面６１Ａから＋Ｎ方向に突出し、かつ、＋Ｍ方向に延出する突条であり、それぞれ、上記複数の取付部６１１のうち＋Ｌ方向において隣り合う２つの取付部６１１の間に位置する。これら位置決め部６１２のそれぞれは、＋Ｍ方向側及び−Ｍ方向側のそれぞれの端部に、＋Ｎ方向に突出する突起部６１２１を有する。
そして、これら突起部６１２１が光源モジュールＳＭの支持部ＳＭ１に形成された孔部（図示省略）に挿入され、当該支持部ＳＭ１が位置決めされた状態にて、上記孔部ＳＭ４に挿入されたねじＳＣ１の先端部が、上記ねじ孔６１１１に固定されることによって、当該光源モジュールＳＭが、取付部６１１、すなわち、第１部材６１に取り付けられる。この際、取付部６１１及び位置決め部６１２は、光源モジュールＳＭ（支持部ＳＭ１）と当接されるため、当該取付部６１１及び位置決め部６１２には、光源モジュールＳＭの熱が伝達される。
なお、＋Ｌ方向において取付部６１１と位置決め部６１２との間には、隙間ＧＰが形成されている。この隙間ＧＰには、上記プリント基板ＰＣが配置される。
【００８８】
第１固定部６１３は、第１部材６１において＋Ｌ方向の両端に位置し、光源冷却部６を光源用筐体ＬＣに固定する際に用いられる部位である。これら第１固定部６１３は、光源冷却部６を光源用筐体ＬＣに固定する後述するねじＳＣ３（図１４参照）が挿入される孔部６１４と、当該光源用筐体ＬＣに突設された後述する位置決め突起ＬＣ３３（図１４参照）が挿入される位置決め孔６１５と、をそれぞれ有する。光源冷却部６は、このようにねじＳＣ３によって光源用筐体ＬＣに取り付けられる。
このような第１固定部６１３を用いた光源冷却部６の光源用筐体ＬＣへの固定については、後に詳述する。
【００８９】
第２固定部６１６は、第１部材６１の周縁に位置し、第１部材６１に第２部材６３を固定する際に用いられる部位である。この第２固定部６１６は、第２部材６３を第１部材６１に固定するねじＳＣ２が固定されるねじ孔６１７と、第２部材６３に突設された位置決め突起６３３が挿入される位置決め孔６１８と、を有する。
【００９０】
図８は、第１部材６１において光源アレイＳＡが取り付けられる側とは反対側（−Ｎ方向側）から当該第１部材６１を見た図である。
第１部材６１は、図８に示すように、光源アレイＳＡが取り付けられる側とは反対側の面６１Ｂにそれぞれ位置する第１フィン６１９、第２フィン６２１、溝部６２３及び封止部材６２４を有する。
第１フィン６１９は、面６１Ｂにおいて＋Ｌ方向側に位置し、第２フィン６２１は、当該面６１Ｂにおいて−Ｌ方向側に位置し、これらフィン６１９，６２１の間には、所定の間隔が空いている。
第１フィン６１９は、それぞれ面６１Ｂから−Ｎ方向に突出し、かつ、＋Ｌ方向に沿う複数のフィン要素６２０が＋Ｍ方向に複数配列されて形成されている。同様に、第２フィン６２１は、それぞれ面６１Ｂから−Ｎ方向に突出し、かつ、＋Ｌ方向に沿う複数のフィン要素６２２が＋Ｍ方向に複数配列されて形成されている。これらフィン６１９，６２１は、第１部材６１と第２部材６３とが組み合わされた際に、液体冷媒（第３冷媒ＲＥ３）が流通する流路の一部を形成し、第１フィン６１９を形成する各フィン要素６２０間及び第２フィン６２１を形成する各フィン要素６２２間を液体冷媒が流通する。すなわち、光源冷却部６Ａ，６Ｂは、内部に液体冷媒が流通する流路を有する。この液体冷媒の流路については、後に詳述する。
【００９１】
溝部６２３は、フィン６１９，６２１を囲むように形成されている。この溝部６２３には、環状の封止部材６２４が嵌め込まれる。この封止部材６２４は、第２部材６３において＋Ｎ方向側の面６３Ａと当接し、後述する流路を流通する液体冷媒の外部への漏出を抑制する。
【００９２】
［第２部材の構成］
図９は、第２部材６３において第１部材６１に取り付けられる側（＋Ｎ方向側）から当該第２部材６３を見た図である。
第２部材６３は、金属によって形成され、第１部材６１と組み合わされることによって、内部に上記液体冷媒が流通可能な流路を形成する。この第２部材６３は、図７に示したように、第１部材６１において第１固定部６１３を除いた部位の寸法に応じた大きさを有し、当該第１部材６１に対して−Ｎ方向側から組み合わされる。
このような第２部材６３は、図９に示すように、固定部６３１、凹部６３４、溝部６３７、流入部６３８及び流出部６３９を有する。
【００９３】
固定部６３１は、第２部材６３の周縁に位置し、当該第２部材６３を第１部材６１に固定する部位である。この固定部６３１は、上記ねじＳＣ２が挿通する複数の孔部６３２と、第１部材６１の位置決め孔６１８に挿入される位置決め突起６３３と、を有する。
これらのうち、位置決め突起６３３は、第２部材６３において第１部材６１に取り付けられる側（＋Ｎ方向側）の面６３Ａから＋Ｎ方向に突出している。そして、当該位置決め突起６３３が位置決め孔６１８に挿入された状態で、−Ｎ方向側から孔部６３２を挿通したねじＳＣ２が第１部材６１のねじ孔６１７に固定されることによって、第２部材６３は第１部材６１に固定される。
【００９４】
凹部６３４は、第２部材６３の略中央に位置し、＋Ｌ方向に長い矩形状に−Ｎ方向側に没入するように形成されている。この凹部６３４の内面のうち、＋Ｌ方向側及び−Ｌ方向側の内面には、２つの突出部６３５が形成されている。
また、凹部６３４の底面（−Ｎ方向側の面）における略中央には、底面から＋Ｎ方向に突出し、＋Ｍ方向に沿う略Ｉ字状の突出部６３６が形成されている。この突出部６３６における＋Ｌ方向側及び−Ｌ方向側のそれぞれの部位には、凹状部６３６１が形成されている。
【００９５】
これら突出部６３５，６３６は、第１部材６１と第２部材６３とが組み合わされた際に、上記フィン６１９，６２１と当接して、液体冷媒の流路の一部を形成する。突出部６３６は、第１部材６１と第２部材６３とが組み合わされた際に、第１部材６１における第１フィン６１９と第２フィン６２１との間の上記所定の間隔に対応して配置される。すなわち、凹部６３４及び突出部６３５，６３６と、フィン６１９，６２１とは、流路形成部に相当する。
【００９６】
そして、光源アレイＳＡによる光の出射側とは反対側（−Ｎ方向側）から光源冷却部６を見た場合、凹部６３４の形成位置、すなわち、凹部６３４内に形成される液体冷媒の流路は、光源アレイＳＡと重なるように位置する。すなわち、光源冷却部６Ａは、当該光源冷却部６Ａを、第１光源４１０１が取り付けられる側とは反対側から見て、液体冷媒が流通する流路が第１光源４１０１の複数の固体光源ＳＳ（複数の第１発光素子）と重なるように配置される。また、光源冷却部６Ｂは、当該光源冷却部６Ｂを、第２光源４１０２が取り付けられる側とは反対側から見て、液体冷媒が流通する流路が第２光源４１０２の複数の固体光源ＳＳ（複数の第２発光素子）と重なるように配置される。
溝部６３７は、凹部６３４を囲む位置に形成され、第１部材６１と第２部材６３とが組み合わされた際に、上記封止部材６２４が配置される。
【００９７】
流入部６３８は、第２部材６３における＋Ｍ方向側で、かつ、＋Ｌ方向における略中央に位置する。流出部６３９は、第２部材６３における−Ｍ方向側で、かつ、＋Ｌ方向における略中央に位置する。これら流入部６３８及び流出部６３９は、それぞれ、円筒状に形成されている。流入部６３８に形成された貫通孔６３８１及び流出部６３９に形成された貫通孔６３９１は、それぞれ、第２部材６３外と凹部６３４内とを連通させている。
これらのうち、流入部６３８は、上記接続部材ＣＮ２（図４参照）と接続され、光源冷却部６に流通する液体冷媒を内部に流入させる。具体的には、第３熱交換器５３３を流通した第３冷媒ＲＥ３は、流入部６３８を介して凹部６３４内に流入する。また、流出部６３９は、上記接続部材ＣＮ３と接続され、光源冷却部６を流通した液体冷媒を外部に流出させる。具体的には、凹部６３４内を流通した第３冷媒ＲＥ３は、流出部６３９を介して、第２ラジエータ５３４に流出される。
【００９８】
［光源冷却部内の液体冷媒の流路］
図１０は、光源冷却部６内に形成された液体冷媒（第３冷媒ＲＥ３）の流路を示す図である。具体的に、図１０は、凹部６３４内に上記フィン６１９，６２１が配置された状態を＋Ｎ方向側から見た図である。
第１部材６１及び第２部材６３が組み合わされると、図１０に示すように、凹部６３４内に形成された突出部６３５，６３６と、当該凹部６３４内に配置される第１フィン６１９及び第２フィン６２１とが当接して、当該凹部６３４内に、液体冷媒の流路が形成される。この流路は、流入部６３８を介して凹部６３４内に流入した液体冷媒が、第１フィン６１９及び第２フィン６２１の間に位置し、かつ、突出部６３６に対して流入部６３８側の空間ＳＰ１にて、第１フィン６１９側を流通する液体冷媒と、第２フィン６２１側を流通する液体冷媒とに分流され、流通方向を複数回反転しつつフィン要素６２０間及びフィン要素６２２間を流通し、流出部６３９を介して光源冷却部６外に排出される流路である。すなわち、光源冷却部６が有する上記流路形成部は、流入部６３８から流出部６３９に向かって、液体冷媒が流通する蛇行した流路を形成する。
【００９９】
第１フィン６１９を流通する液体冷媒の流路について詳述する。
第１フィン６１９を構成する複数のフィン要素６２０のうち、１つのフィン要素６２０１は、−Ｌ方向側の端部にて、上記突出部６３６における＋Ｍ方向側であり、かつ、＋Ｌ方向側の端部と当接する。このため、流入部６３８から上記空間ＳＰ１に流入された液体冷媒のうち、一部の液体冷媒は、第１フィン６１９側に流通する。
【０１００】
この液体冷媒は、凹部６３４において＋Ｍ方向側の内面６３４１とフィン要素６２０１との間に位置するフィン要素６２０間を＋Ｌ方向に流通する。そして、当該液体冷媒は、凹部６３４の内面のうち、＋Ｌ方向側であり、かつ、突出部６３５に対して＋Ｍ方向側の内面６３４２と、第１フィン６１９における＋Ｌ方向側の端部との間の空間ＳＰ２に流入される。
ここで、突出部６３５の先端は、フィン要素６２０１より−Ｍ方向側に位置するフィン要素６２０２における＋Ｌ方向側の端部と当接している。このため、空間ＳＰ２に流入した液体冷媒は、−Ｍ方向に流通できず、円弧状の内面６３４２によって、フィン要素６２０１，６２０２間に配設されたフィン要素６２０間に導かれ、当該フィン要素６２０間を−Ｌ方向に流通する。すなわち、液体冷媒の流通方向は、反転される。
【０１０１】
この後、液体冷媒は、突出部６３６において＋Ｌ方向側に形成された凹状部６３６１と第１フィン６１９における−Ｌ方向側の端部との間の空間ＳＰ３に流通する。この突出部６３６における＋Ｌ方向側であり、かつ、−Ｍ方向側の端部は、フィン要素６２０２より−Ｍ方向側に位置するフィン要素６２０３における−Ｌ方向側の端部と当接している。このため、空間ＳＰ３に流入した液体冷媒は、−Ｍ方向に流通できず、円弧状の凹状部６３６１によって、フィン要素６２０２，６２０３間に配設されたフィン要素６２０間に導かれ、当該フィン要素６２０間を＋Ｌ方向に流通する。すなわち、液体冷媒の流通方向は、再度反転される。
【０１０２】
そして、液体冷媒は、凹部６３４の内面のうち、＋Ｌ方向側であり、かつ、突出部６３５に対して−Ｍ方向側の内面６３４３と、第１フィン６１９における＋Ｌ方向側の端部との間の空間ＳＰ４に流入される。
この空間ＳＰ４内に流入した液体冷媒は、当該内面６３４３によって流通方向が再度反転され、フィン要素６２０３と凹部６３４における−Ｍ方向側の内面６３４４との間に配設されたフィン要素６２０間を−Ｌ方向に流通して、突出部６３６に対する−Ｍ方向側の空間ＳＰ５に流通する。
この空間ＳＰ５に流通した液体冷媒は、流出部６３９を介して、光源冷却部６の外部に排出され、当該流出部６３９に接続された接続部材ＣＮ３（図４参照）を介して、第２ラジエータ５３４に流通する。
以上のように、蛇行した流路を形成する上記流路形成部は、光源冷却部６の内部を流通する液体冷媒の流通方向を３回反転させている。
【０１０３】
なお、空間ＳＰ１に流入されて第２フィン６２１を流通する液体冷媒の流路も、流入部６３８と流出部６３９とを結ぶ中心線を中心として、第１フィン６１９を流通する液体冷媒の流路と線対称の流路を経て、上記空間ＳＰ５に流通する。そして、当該空間ＳＰ５に流通した液体冷媒は、上記第１フィン６１９を流通した液体冷媒と合流して、流出部６３９から外部に排出される。
【０１０４】
［光源冷却部及び光源アレイにおける温度分布と光源光における照度分布］
光源冷却部６内に流入された液体冷媒は、第１フィン６１９及び第２フィン６２１のそれぞれにて流通方向が３回反転されつつ流通し、光源アレイＳＡから光源冷却部６に伝達された熱が伝達されて、流出部６３９から排出される。
そして、液体冷媒は、第１フィン６１９及び第２フィン６２１の各フィン要素６２０，６２２間を流通する間に、光源アレイＳＡからの熱が伝達されることから、当該液体冷媒の温度は高くなる。すなわち、各フィン６１９，６２１を流通する液体冷媒は、−Ｍ方向に向かうに従って温度が高くなり、当該液体冷媒による冷却効率も−Ｍ方向に向かうに従って低下する。
このため、光源アレイＳＡを構成する各固体光源ＳＳの温度は、＋Ｍ方向側から−Ｍ方向側に向かうに従って高くなる。すなわち、第１光源４１０１の光源アレイＳＡには、液体冷媒による冷却によって、−Ｍ方向に沿って温度差が生じる。同様に、第２光源４１０２の光源アレイＳＡには、液体冷媒による冷却によって、−Ｍ方向に沿って温度差が生じる。更に換言すると、光源アレイＳＡにける温度（明るさ）は、所定の方向において偏る。
【０１０５】
ここで、上記のように、ＬＤ等の固体光源は、温度が低いと発光輝度が高く、温度が高いと発光輝度が低い特性を有する。
このため、第１光源４１０１から出射される光源光においては、−Ｍ方向に向かうに従って輝度（照度）が低下する。また、第２光源４１０２も第１光源４１０１と同じ構成を有することから、当該第２光源４１０２から出射される光源光においても、−Ｍ方向に向かうに従って輝度（照度）が低下する。換言すると、第１光源４１０１から出射される光源光には、第１光源４１０１における複数の固体光源ＳＳでの上記温度差によって照度分布（明るさの偏り）が生じる。同様に、第２光源４１０２から出射される光源光には、第２光源４１０２における複数の固体光源ＳＳでの上記温度差によって照度分布（明るさの偏り）が生じる。
【０１０６】
［第１光源及び第２光源の配置］
図１１は、第１光源４１０１及び第２光源４１０２の配置を示す図である。
以上を踏まえ、本実施形態では、光合成部材４１０３において、第１光源４１０１から出射された光源光の照度分布（輝度分布）と、第２光源４１０２から出射された光源光の照度分布（輝度分布）とが相殺されるように、これら光源４１０１，４１０２は配置されている。
具体的に、光源部４１０では、図１１に示すように、第１光源４１０１における＋Ｌ方向が＋Ｘ方向と平行となり、＋Ｍ方向側が＋Ｙ方向側となり、＋Ｎ方向側が＋Ｚ方向側となるように、第１光源４１０１は配置される。また、第２光源４１０２における＋Ｌ方向が＋Ｘ方向と平行となり、＋Ｍ方向が−Ｚ方向側となり、＋Ｎ方向側が＋Ｙ方向側となるように、第２光源４１０２は配置される。
【０１０７】
図１１に示す第１光源４１０１及び第２光源４１０２の配置において、液体冷媒によって第１光源４１０１の光源アレイＳＡに生じる温度差は、−Ｙ方向（第１方向）に沿って大きくなる。また、液体冷媒によって第２光源４１０２の光源アレイＳＡに生じる温度差は、＋Ｚ方向（第２方向）に沿って大きくなる。換言すると、光源冷却部６Ａは、−Ｙ方向に（第１方向）に温度差が大きくなるように、第１光源４１０１の複数の固体光源ＳＳ（複数の第１発光素子）を、当該光源冷却部６Ａ内を流通する液体冷媒の流路によって冷却する。すなわち、光源冷却部６Ａは、当該光源冷却部６Ａ内を流通する液体冷媒の流路によって、第１光源４１０１の複数の固体光源ＳＳに−Ｙ方向（第１方向）に大きくなる温度差を生じさせる。また、光源冷却部６Ｂは、＋Ｚ方向に（第２方向）に温度差が大きくなるように、第２光源４１０２の複数の固体光源ＳＳ（複数の第２発光素子）を、当該光源冷却部６Ｂ内を流通する液体冷媒の流路によって冷却する。すなわち、光源冷却部６Ｂは、当該光源冷却部６Ｂ内を流通する液体冷媒の流路によって、第２光源４１０２の複数の固体光源ＳＳに＋Ｚ方向（第２方向）に大きくなる温度差を生じさせる。
【０１０８】
これにより、第１光源４１０１から出射された光源光において輝度（照度）が高い領域の光は、光合成部材４１０３において＋Ｙ方向側であり、かつ、＋Ｚ方向側の部位（第１部位）に入射され、また、輝度が低い領域の光は、光合成部材４１０３において−Ｙ方向であり、かつ、−Ｚ方向側の部位（第２部位）に入射される。
一方、第２光源４１０２から出射された光源光において輝度が高い領域の光は、光合成部材４１０３において−Ｙ方向側であり、かつ、−Ｚ方向側の部位（第２部位）に入射され、また、輝度が低い領域の光は、＋Ｙ方向側であり、かつ、＋Ｚ方向側の部位（第１部位）に入射される。
【０１０９】
このような第１光源４１０１及び第２光源４１０２の配置により、光合成部材４１０３によって、当該光合成部材４１０３の第１部位において、第１光源４１０１から出射された輝度が高い領域の光と、第２光源４１０２から出射された輝度が低い領域の光とが合成される。また、光合成部材４１０３の第２部位において、第１光源４１０１から出射された輝度が低い領域の光と、第２光源４１０２から出射された輝度が高い領域の光とが合成される。そして、これにより、光合成部材４１０３において各光源光の照度分布（輝度分布）が相殺される。すなわち、光合成部材４１０３において各光源光の明るさの偏りが相殺される。
従って、光合成部材４１０３から、照度分布が略均一化された光源光が出射される。そして、これにより、投射画像に輝度むら等の劣化が生じることが抑制される。
【０１１０】
［制御装置の構成］
図１２は、制御装置９の構成を示すブロック図である。
制御装置９は、ＣＰＵ（Central Processing Unit）等の処理回路や、メモリー等の記憶回路を有し、上記のように、プロジェクター１全体の動作を制御する。例えば、制御装置９は、入力される画像情報を処理し、当該画像情報に応じた画像信号を上記光変調装置４７２に出力して、当該画像情報に応じた画像を画像形成装置４２に形成させる。また、制御装置９は、冷却装置５や光源装置４１の動作を制御する。このような制御装置９は、図１２に示すように、記憶部９１、動作制御部９２、温度取得部９３及び点灯制御部９４を有する。
【０１１１】
記憶部９１は、プロジェクター１の動作に必要なプログラムやデータを記憶している。例えば、記憶部９１は、点灯制御部９４によって光源４１０１，４１０２の各光源モジュールＳＭの温度と比較されて各光源モジュールＳＭに供給される駆動電流を制御するための比較値（所定値）を記憶している。
動作制御部９２は、画像形成装置４２や冷却装置５の動作を制御する。
温度取得部９３は、各光源モジュールＳＭに設けられた温度検出部Ｔｈ１によって検出された温度、すなわち、各光源モジュールＳＭの温度を取得する。また、温度取得部９３は、後述する温度検出部Ｔｈ２によって検出された温度、すなわち、第３冷媒ＲＥ３の温度を取得する。この第３冷媒ＲＥ３の温度を制御条件の１つとして、動作制御部９２は、冷却装置５の動作を制御する。
【０１１２】
点灯制御部９４は、第１光源部４１０１及び第２光源部４１０２の各光源モジュールＳＭに駆動電流を供給して、第１光源部４１０１及び第２光源部４１０２の各光源モジュールＳＭを点灯させる。より具体的には、点灯制御部９４は、各光源モジュールＳＭに供給する駆動電流の電流値を制御して、当該各光源モジュールＳＭの点灯状態、すなわち、各光源４１０１，４１０２の点灯状態を制御する。更に、点灯制御部９４は、温度取得部９３によって取得された各光源モジュールＳＭの温度と、記憶部９１に記憶された比較値とを比較する。そして、光源モジュールＳＭの温度が比較値未満である場合には、点灯制御部９４は、当該光源モジュールＳＭの温度が比較値以上である場合に当該光源モジュールＳＭに供給される駆動電流の電流値よりも電流値が低い駆動電流を、当該光源モジュールＳＭに供給する。
【０１１３】
ここで、上記のように、固体光源ＳＳの発光輝度は、当該固体光源ＳＳの温度が高いと低くなり、温度が低いと高くなる。このように、温度が高い場合と低い場合とで固体光源ＳＳの発光輝度が異なることから、固体光源ＳＳの温度によって、形成される画像の輝度が変化してしまう。すなわち、プロジェクター１を使用して、固体光源ＳＳの温度が高くなってくると、投射画像の輝度が低下する。また、供給される駆動電流の電流値が高いと、固体光源ＳＳの発光輝度は高くなり、当該電流値が低いと、固体光源ＳＳの発光輝度は低くなる。
これらのことから、点灯制御部９４は、光源モジュールＳＭの温度が低い場合には、低い電流値の駆動電流を光源モジュールＳＭに供給し、当該温度が高い場合には、高い電流値の駆動電流を光源モジュールＳＭに供給する。これにより、光源モジュールＳＭの温度に依らずに、当該光源モジュールＳＭから一定の輝度（光量）の光を出射できる。そして、これにより、光源部４１０、ひいては、光源装置４１から一定の輝度の光を出射できる。
【０１１４】
なお、本実施形態では、温度検出部Ｔｈ１は光源モジュールＳＭ毎に設けられていることから、点灯制御部９４は、供給される駆動電流の電流値を光源モジュールＳＭ毎に調整できる。しかしながら、これに限らず、温度検出部Ｔｈ１が光源アレイＳＡ全体の温度を検出する場合には、点灯制御部９４は、各固体光源ＳＳに供給される駆動電流の電流値を一括して調整してもよい。
【０１１５】
［光源用筐体に取り付けられる金属製部品の絶縁］
図１３は、金属筐体である光源用筐体ＬＣと、当該光源用筐体ＬＣに取り付けられた接続部材ＣＮとを示す平面図（＋Ｙ方向側から見た図）である。
ところで、外装筐体２内には、上記のように、電源装置８や制御装置９等の電子部品が多く配設されており、これらは、電磁波を発生させる。そして、グランドに接続された金属製部材に当該電磁波が入射されると、当該金属製部品に微弱ながら電流が流れる。
本実施形態では、図１３に示すように、２つの光源冷却部６、第３熱交換器５３３、接続部材ＣＮに設けられた分流部ＣＮ２１及び合流部ＣＮ３１は、それぞれ内部を液体冷媒が流通する金属製部材であり、これらは光源用筐体ＬＣに取り付けられている。
【０１１６】
これら金属製部品に電流が流れると、当該液体冷媒と金属との界面にて腐食が発生し、ひいては、液体冷媒の漏出に繋がる可能性がある。このため、金属製の光源用筐体ＬＣをグランドに対して絶縁して、光源用筐体ＬＣだけでなく、光源冷却部６、第３熱交換器５３３、分流部ＣＮ２１及び合流部ＣＮ３１を絶縁することが考えられる。
しかしながら、比較的大きな光源用筐体ＬＣを絶縁する場合には、絶縁箇所が大きくなり、画像投射装置４、ひいては、プロジェクター１が大型になりやすく、また、絶縁工程が煩雑になりやすい。
これに対し、本実施形態では、光源冷却部６、第３熱交換器５３３、分流部ＣＮ２１及び合流部ＣＮ３１を光源用筐体ＬＣに対して個別に絶縁した状態でそれぞれを固定している。
以下、光源用筐体ＬＣに対する光源冷却部６、第３熱交換器５３３、分流部ＣＮ２１及び合流部ＣＮ３１の絶縁について説明する。
【０１１７】
［光源冷却部の絶縁］
図１４は、光源用筐体ＬＣから光源冷却部６（６Ａ）を分離させた状態を示す斜視図である。換言すると、図１４は、光源用筐体ＬＣへの光源冷却部６（６Ａ）の取付構造を示す斜視図である。
光源用筐体ＬＣは、図１４に示すように、−Ｚ方向側の端部に第１光源４１０１が配置される第１光源配置部ＬＣ１を有し、−Ｙ方向側であり、かつ、−Ｚ方向側の端部に第２光源４１０２が配置される第２光源配置部ＬＣ４を有する。この第２光源配置部ＬＣ４は、第１光源配置部ＬＣ１と同様の構成を有するので、詳しい説明を省略する。
【０１１８】
第１光源配置部ＬＣ１は、第１光源４１０１の光源アレイＳＡが配置される矩形状の開口部ＬＣ２と、当該開口部ＬＣ２の端縁における＋Ｘ方向側及び−Ｘ方向側の部位に取付部ＬＣ３とを有する。
取付部ＬＣ３は、ねじ孔ＬＣ３２を有するボスＬＣ３１と、−Ｚ方向に突出する位置決め突起ＬＣ３３と、を有する。このような取付部ＬＣ３に、複数の絶縁部材７１，７２を介して、光源冷却部６は取り付けられる。すなわち、第１光源４１０１及び光源冷却部６Ａと、第２光源４１０２及び光源冷却部６Ｂとは、光源用筐体ＬＣに対してそれぞれ絶縁されている。なお、これら光源冷却部６Ａ，６Ｂは、内部を液体冷媒が流通し光源用筐体ＬＣに対して絶縁される絶縁対象に相当する。
【０１１９】
図１５は、取付部ＬＣ３と当該取付部ＬＣ３に取り付けられた光源冷却部６とを示す断面図である。
絶縁部材７１は、光源用筐体ＬＣに対して光源冷却部６（第１部材６１）を絶縁するものであり、ゴム等の絶縁材料により形成されている。この絶縁部材７１は、図１５に示すように、ボスＬＣ３１における−Ｚ方向側の端面を覆って当該ボスＬＣ３１と第１部材６１との間に介装される絶縁部７１１と、当該絶縁部７１１の周縁から＋Ｚ方向側に円筒状に延出して、ボスＬＣ３１の側面を覆う被覆部７１２と、を有する。これらのうち、絶縁部７１１には、ボスＬＣ３１のねじ孔ＬＣ３２に固定されるねじＳＣ３の軸部が挿通される孔部７１１１が形成されている。すなわち、絶縁対象である２つの光源冷却部６Ａ，６Ｂと光源用筐体ＬＣとの間には、絶縁部材７１が配置されている。なお、絶縁部材７１は、第１絶縁部材に相当する。
このような絶縁部材７１によって、ボスＬＣ３１と第１部材６１との間、すなわち、光源用筐体ＬＣと光源冷却部６との間の絶縁が図られる。
【０１２０】
絶縁部材７２は、円筒状の第１絶縁部７２１と、当該第１絶縁部７２１の一端から径方向外側に広がる第２絶縁部７２２と、を有する。そして、絶縁部材７２は、絶縁対象である光源冷却部６の孔部６１４に設けられる。この孔部６１４に設けられる絶縁部材７２における第１絶縁部７２１には、絶縁対象である光源冷却部６を光源用筐体ＬＣに取り付けるねじＳＣ３の軸部が挿通される孔部７２１１が形成されている。すなわち、ねじＳＣ３と光源冷却部６との間には、絶縁部材７２が配置されている。なお、ねじＳＣ３は、取付部材に相当する。更に、絶縁部材７２は、第２絶縁部材に相当する。
【０１２１】
このように、絶縁部材７２が孔部６１４に設けられる場合には、当該絶縁部材７２は、第１絶縁部７２１が孔部６１４に挿入され、第２絶縁部７２２が第１部材６１とねじＳＣ３の頭部との間に位置するように配置される。これにより、ボスＬＣ３１に固定されるねじＳＣ３の軸部と孔部６１４の内面との間、ひいては、光源用筐体ＬＣと光源冷却部６との間の絶縁が図られる。
【０１２２】
また、絶縁部材７２は、孔部６１４に設けられた状態での向きとは逆向きの状態で、光源冷却部６の位置決め孔６１５にも設けられる。この位置決め孔６１５に設けられる絶縁部材７２における孔部７２１１には、光源用筐体ＬＣに設けられて光源冷却部６を位置決めする位置決め突起ＬＣ３３が挿通される。すなわち、光源用筐体ＬＣの位置決め突起ＬＣ３３と光源冷却部６の位置決め孔６１５の内面との間には、絶縁部材７２が配置されている。絶縁部材７２は、第３絶縁部材にも相当する。
【０１２３】
このように、絶縁部材７２が位置決め孔６１５に設けられる場合には、当該絶縁部材７２は、第１絶縁部７２１が位置決め突起ＬＣ３３の側方を覆い、当該位置決め突起ＬＣ３３の基端部と当接するように配置される。これにより、位置決め突起ＬＣ３３の側面と位置決め孔６１５の内面との間、ひいては、光源用筐体ＬＣと光源冷却部６との間の絶縁が図られる。
【０１２４】
［第３熱交換器の絶縁］
図１６は、光源用筐体ＬＣ内に配置された第３熱交換器５３３と、当該第３熱交換器５３３に設けられた絶縁部材７３とを示す図である。換言すると、図１６は、図１３におけるＸＶＩ−ＸＶＩ線での光源装置４１の断面図である。
光源用筐体ＬＣ内に配置される第３熱交換器５３３の周囲には、図１６に示すように、絶縁部材７３が設けられている。具体的に、絶縁部材７３は、−Ｚ方向側から見て略矩形状である第３熱交換器５３３における±Ｘ方向側の側面及び±Ｙ方向側の側面のそれぞれに設けられている。すなわち、光源用筐体ＬＣと第３熱交換器５３３との間には、絶縁部材７３が配置されており、また、第３熱交換器５３３は、光源用筐体ＬＣに対して絶縁されている。なお、第３熱交換器５３３は、内部を液体冷媒が流通し光源用筐体ＬＣに対して絶縁される絶縁対象に相当する。更に、絶縁部材７３は、第１絶縁部材に相当する。
【０１２５】
この絶縁部材７３は、金属製の第３熱交換器５３３と、光源用筐体ＬＣの内面ＬＣＡとが直接接触することを防ぎ、当該光源用筐体ＬＣに対して第３熱交換器５３３を絶縁する。このような絶縁部材７３は、ゴムや樹脂等の絶縁材料により形成されている。
【０１２６】
［分流部及び合流部の絶縁］
図１７は、分流部ＣＮ２１を示す斜視図である。
分流部ＣＮ２１は、図１７に示すように、光源用筐体ＬＣの−Ｘ方向側の側面に沿って配置された接続部材ＣＮ２に設けられている。この分流部ＣＮ２１は、第３熱交換器５３３から流通する第３冷媒ＲＥ３を、各光源４１０１，４１０２に対応する光源冷却部６Ａ，６Ｂに分流する三又継手である継手部ＣＮ２１１と、当該継手部ＣＮ２１１を覆う被覆部ＣＮ２１２とを有し、金属により形成されている。すなわち、分流部ＣＮ２１は、光源用筐体ＬＣに設けられており、また、図４にも示すように、当該分流部ＣＮ２１の内部を流通する液体冷媒（第３冷媒ＲＥ３）を分流して、光源冷却部６Ａ及び光源冷却部６Ｂに流通させる。
【０１２７】
図１８は、分流部ＣＮ２１におけるＸＹ平面に沿う断面を示す図である。
これらのうち、被覆部ＣＮ２１２は、図１７及び図１８に示すように、平坦に形成された取付部ＣＮ２１３と、分流部ＣＮ２１を光源用筐体ＬＣに固定する２つの固定部ＣＮ２１４と、を有する。
取付部ＣＮ２１３には、継手部ＣＮ２１１内を流通する第３冷媒ＲＥ３の温度を検出する温度検出部Ｔｈ２が取り付けられている。この温度検出部Ｔｈ２も、検出した温度を上記制御装置９に出力する。
【０１２８】
２つの固定部ＣＮ２１４のうち一方は、ＸＺ平面に沿う平板状に形成され、他方は、ＸＹ平面に沿う平板状に形成されている。そして、各固定部ＣＮ２１４には、分流部ＣＮ２１を光源用筐体ＬＣに取り付けて固定するねじＳＣ４が挿通される孔部ＣＮ２１５が形成されている。これら固定部ＣＮ２１４のいずれかが、分流部ＣＮ２１を光源用筐体ＬＣに固定する際に利用される。なお、ねじＳＣ４は、取付部材に相当する。
ここで、光源用筐体ＬＣは、上記分流部ＣＮ２１が固定される固定部ＬＣ５を備える。当該固定部ＬＣ５は、＋Ｙ方向に起立するボスＬＣ５１を有する。そして、当該ボスＬＣ５１には、ねじＳＣ４が固定されるねじ孔ＬＣ５２が形成されている。
【０１２９】
このような固定部ＬＣ５に分流部ＣＮ２１が固定される際には、図１８に示すように、ボスＬＣ５１と固定部ＣＮ２１４との間に、絶縁部材７４，７５が介装される。
【０１３０】
絶縁部材７４は、上記絶縁部材７１と同様に、ボスＬＣ５１における突出方向先端の端面と固定部ＣＮ２１４との間に配置される絶縁部７４１と、絶縁部７４１の端縁からボスＬＣ５１の起立方向に沿って延出してボスＬＣ５１の側面の一部を覆う被覆部７４２と、を有する。これらのうち、絶縁部７４１には、ねじＳＣ４の軸部が挿通される孔部７４１１が形成されている。すなわち、光源用筐体ＬＣと分流部ＣＮ２１との間には、絶縁部材７４が配置されており、また、分流部ＣＮ２１は、光源用筐体ＬＣに対して絶縁されている。なお、分流部ＣＮ２１は、内部を液体冷媒が流通し光源用筐体ＬＣに対して絶縁される絶縁対象に相当する。更に、絶縁部材７４は、第１絶縁部材に相当する。
このような絶縁部材７４によって、ボスＬＣ５１と固定部ＣＮ２１４との間、すなわち、光源用筐体ＬＣと分流部ＣＮ２１との間の絶縁が図られる。
【０１３１】
絶縁部材７５は、孔部ＣＮ２１５に設けられる。この絶縁部材７５は、円筒状の第１絶縁部７５１と、当該第１絶縁部７５１の＋Ｙ方向側の端部から径方向外側に広がる第２絶縁部７５２と、を有する。これらのうち、第１絶縁部７５１には、ねじＳＣ４の軸部が挿通される孔部７５１１が形成されている。すなわち、ねじＳＣ４と分流部ＣＮ２１との間には、絶縁部材７５が配置されている。なお、絶縁部材７５は、第２絶縁部材に相当する。
このような絶縁部材７５によって、ねじＳＣ４の頭部と孔部ＣＮ２１５の内面との間、ひいては、光源用筐体ＬＣと分流部ＣＮ２１との間の絶縁が図られる。
【０１３２】
なお、図示を省略するが、図１３に示した合流部ＣＮ３１も、上記分流部ＣＮ２１と同様の構成を有する。また、光源用筐体ＬＣも、当該合流部ＣＮ３１が固定される固定部を有し、当該固定部は、上記固定部ＬＣ５と同様の構成を有する。そして、当該固定部に対する合流部ＣＮ３１の固定に際しては、上記絶縁部材７４，７５が用いられ、光源用筐体ＬＣに対して合流部ＣＮ３１の絶縁が図られる。
すなわち、合流部ＣＮ３１は、光源用筐体ＬＣに設けられており、また、図４にも示すように、光源冷却部６Ａを流通した液体冷媒と、光源冷却部６Ｂを流通した液体冷媒とを合流させる。そして、光源用筐体ＬＣと合流部ＣＮ３１との間には、第１絶縁部材が配置されており、また、合流部ＣＮ３１は、光源用筐体ＬＣに対して絶縁されている。なお、合流部ＣＮ３１は、内部を液体冷媒が流通し光源用筐体ＬＣに対して絶縁される絶縁対象に相当する。更には、取付部材としてのねじと合流部ＣＮ３１との間には、第２絶縁部材が配置されている。
【０１３３】
［実施形態の効果］
以上説明した本実施形態に係るプロジェクター１は、以下の効果がある。
冷却装置５は、内部を流通する第３冷媒ＲＥ３によって−Ｍ方向（第１方向）に温度差が大きくなるように、第１光源４１０１の複数の固体光源ＳＳ（第１発光素子）を冷却する光源冷却部６Ａ（第１冷却部）と、内部を流通する第３冷媒ＲＥ３によって−Ｍ方向（第２方向）に温度差が大きくなるように、第２光源４１０２の複数の固体光源ＳＳ（第２発光素子）を冷却する光源冷却部６Ｂ（第２冷却部）と、を有する。そして、第１光源４１０１の複数の固体光源ＳＳの温度差によって生じる照度分布と、第２光源４１０２の複数の固体光源ＳＳの温度差によって生じる照度分布とが、光合成部材４１０３において相殺されるように、これら第１光源４１０１及び第２光源４１０２は配置されている。
これによれば、各光源４１０１，４１０２のそれぞれから出射されて光合成部材４１０３によって合成された光源光を、照度分布が略均一な光束とすることができる。従って、当該光源光により生成された照明光を変調して形成される投射画像に輝度むらが生じることを抑制でき、当該投射画像の劣化を抑制できる。
【０１３４】
光源冷却部６Ａは、第１光源４１０１による光の出射側とは反対側から見て、光源冷却部６Ａ内の第３冷媒ＲＥ３の流路が光源アレイＳＡに配設された複数の固体光源ＳＳと重なるように配置される。光源冷却部６Ｂも、第２光源４１０２に対して同様に配置される。これによれば、第１光源４１０１を構成する光源アレイＳＡに配設された複数の固体光源ＳＳの熱を、光源冷却部６Ａ内の流路を流通する第３冷媒ＲＥ３に伝達させやすくすることができる。同様に、第２光源４１０２を構成する光源アレイＳＡに配設された複数の固体光源ＳＳの熱を、光源冷却部６Ｂ内の流路を流通する第３冷媒ＲＥ３に伝達させやすくすることができる。従って、各固体光源ＳＳを効果的に冷却できる。
【０１３５】
光源冷却部６Ａでは、内部に形成された第３冷媒ＲＥ３の流路によって、第１光源４１０１の各固体光源ＳＳに−Ｍ方向に大きくなる温度差を生じさせる。これは、光源冷却部６Ｂも同様である。
これによれば、上記温度差を、光源冷却部６Ａ，６Ｂ内の第３冷媒ＲＥ３の流路によって生じさせることができる。従って、各光源４１０１，４１０２から出射される各光束に上記照度分布を確実に生じさせることができる。
【０１３６】
光源冷却部６Ａ，６Ｂのそれぞれは、第３冷媒ＲＥ３を内部に流入させる流入部６３８と、当該光源冷却部６を流通した第３冷媒ＲＥ３を流出させる流出部６３９と、流入部６３８から流出部６３９に向かって、蛇行した第３冷媒ＲＥ３の流路を形成する流路形成部としての凹部６３４、突出部６３５，６３６及びフィン６１９，６２１を有する。
これによれば、光源冷却部６Ａ，６Ｂ内の第３冷媒ＲＥ３の流路が蛇行していることによって、当該流路を長くすることができ対応する第１光源４１０１及び第２光源４１０２を十分に冷却しつつ、当該流路の上流側と下流側とで第３冷媒ＲＥ３に温度差、ひいては、複数の固体光源ＳＳに流入部６３８から流出部６３９に向かって大きくなる温度差を生じさせることができる。従って、第１光源４１０１及び第２光源４１０２の上記のような簡易的な配置によって上記照度分布を相殺することができ、光源部４１０から照度分布が略均一な光源光を出射でき、上記投射画像に劣化が生じることを抑制できる。
【０１３７】
光源冷却部６Ａ，６Ｂ内の第３冷媒ＲＥ３の流路では、当該第３冷媒ＲＥ３の流通方向が３回反転される。これによれば、＋Ｌ方向において流入部６３８及び流出部６３９を同じ位置に位置させることができる。従って、光源冷却部６Ａ，６Ｂへの配管を容易に行うことができる。
【０１３８】
第１光源４１０１及び第２光源４１０２は、複数の光源モジュールＳＭによって構成される光源アレイＳＡを有し、当該光源アレイＳＡには、温度を検出する温度検出部Ｔｈ１が設けられている。そして、制御装置９の点灯制御部９４は、光源アレイＳＡの温度が比較値未満である場合に、当該温度が比較値以上である場合に比べて電流値を低下させた駆動電流を当該光源アレイＳＡに供給して、当該光源アレイを点灯させる。
これによれば、温度による固体光源ＳＳの発光輝度の変化を、当該固体光源ＳＳに供給される駆動電流の電流値によって抑制できる。従って、各光源４１０１，４１０２から出射される光源光の光量を略一定に保つことができるので、投射画像の輝度変化を抑制できる。
【０１３９】
光源装置４１は、第１光源４１０１及び第２光源４１０２が固定される金属筐体である光源用筐体ＬＣを備える。そして、光源冷却部６Ａ及び光源冷却部６Ｂは、光源用筐体ＬＣに対して絶縁対象としてそれぞれ絶縁されている。これによれば、電源装置８や制御装置９にて生じた電磁波が各光源冷却部６Ａ，６Ｂに伝播された場合でも、第３冷媒ＲＥ３が流通する光源冷却部６Ａ，６Ｂに電流が流れることを抑制できる。従って、これら光源冷却部６Ａ，６Ｂに腐食が発生することを抑制でき、液漏れ等の不具合が発生することを抑制できる。
【０１４０】
第３冷媒ＲＥ３が流通する接続部材ＣＮ２は、内部を流通する第３冷媒ＲＥ３を分流して、光源冷却部６Ａ，６Ｂに流通させる分流部ＣＮ２１を備え、当該分流部ＣＮ２１は、光源用筐体ＬＣに対して絶縁対象として絶縁された状態で固定されている。これによれば、分流部ＣＮ２１にて上記腐食が発生することを抑制できる。従って、第３冷媒ＲＥ３の流量が多い分流部ＣＮ２１にて、液漏れが発生することを抑制できる。
【０１４１】
接続部材ＣＮ３は、光源冷却部６Ａ，６Ｂのそれぞれから流通する第３冷媒ＲＥ３を合流させて、第２ラジエータ５３４に導く合流部ＣＮ３１を備え、当該合流部ＣＮ３１は、光源用筐体ＬＣに対して絶縁対象として絶縁された状態で固定されている。これによれば、上記分流部ＣＮ２１と同様に、第３冷媒ＲＥ３の流量が多い合流部ＣＮ３１にて、上記腐食が発生することを抑制でき、ひいては、液漏れが発生することを抑制できる。
【０１４２】
内部を流通する第３冷媒ＲＥ３に光源用筐体ＬＣ内の第４冷媒ＲＥ４の熱を伝達させて、当該第４冷媒ＲＥ４を冷却する第３熱交換器５３３は、当該光源用筐体ＬＣに対して絶縁対象として絶縁された状態で当該光源用筐体ＬＣ内に配置されている。これによれば、第３熱交換器５３３にて腐食が発生することを抑制できる。従って、第３熱交換器５３３に液漏れが発生することを抑制でき、ひいては、略密閉された光源用筐体ＬＣ内に第３冷媒ＲＥ３が漏出することを抑制できる。また、上記腐食の発生を抑制できるので、第３熱交換器５３３内に詰まりが生じることを抑制でき、当該第３熱交換器５３３の性能低下を抑制できる。
【０１４３】
液体冷媒である第３冷媒ＲＥ３が内部を流通し、光源用筐体ＬＣに対して絶縁する絶縁対象である光源冷却部６Ａ，６Ｂ、第３熱交換器５３３、分流部ＣＮ２１及び合流部ＣＮ３１と、当該光源用筐体ＬＣとの間には、それぞれ第１絶縁部材としての絶縁部材７１，７３，７４が配置される。これによれば、これら絶縁対象を光源用筐体ＬＣに対して確実に絶縁できる。
【０１４４】
上記絶縁対象のうち、光源冷却部６Ａ，６Ｂ及び分流部ＣＮ２１は、取付部材としてのねじＳＣ３，ＳＣ４によってそれぞれ光源用筐体ＬＣに取り付けられる。そして、ねじＳＣ３と光源冷却部６Ａ，６Ｂとの間、及び、ねじＳＣ４と分流部ＣＮ２１との間には、第２絶縁部材としての絶縁部材７２，７５が配置される。これによれば、上記絶縁部材７２，７５が配置されることによって、ねじＳＣ３，ＳＣ４を介して光源用筐体ＬＣと光源冷却部６Ａ，６Ｂ及び分流部ＣＮ２１とが電気的に接続されることを抑制できる。従って、これら光源冷却部６Ａ，６Ｂ及び分流部ＣＮ２１を光源用筐体ＬＣに対して確実に絶縁できる。
なお、合流部ＣＮ３１も、分流部ＣＮ２１と同様に、第２絶縁部材を介して光源用筐体ＬＣに取り付けられるので、当該合流部ＣＮ３１においても分流部ＣＮ２１と同様の効果を奏することができる。
【０１４５】
光源用筐体ＬＣは、光源冷却部６を位置決めする位置決め突起ＬＣ３３を有し、光源冷却部６は、当該位置決め突起ＬＣ３３が挿入される位置決め孔６１５を有する。そして、位置決め突起ＬＣ３３と位置決め孔６１５の内面との間には、第３絶縁部材としての絶縁部材７２が配置される。これによれば、位置決め突起ＬＣ３３を介して光源用筐体ＬＣと光源冷却部６とが電気的に接続されることを抑制できる。従って、光源用筐体ＬＣに対して光源冷却部６を確実に絶縁できる。
【０１４６】
［実施形態の変形］
本発明は、上記実施形態に限定されるものではなく、本発明の目的を達成できる範囲での変形、改良等は本発明に含まれるものである。
上記実施形態では、第１光源４１０１は、＋Ｚ方向に光を出射するように配置され、第２光源４１０２は、＋Ｙ方向に光を出射するように配置され、光合成部材４１０３が、これら光源４１０１，４１０２から出射された光を合成して＋Ｚ方向に光を出射するとした。しかしながら、これに限らず、第１光源４１０１及び第２光源４１０２は、これらから出射された光の照度分布が光合成部材４１０３にて相殺されるように配置されればよい。
また、光源装置４１は、第１光源４１０１及び第２光源４１０２の２つの光源を有する構成に限らず、３つ以上の光源を有する構成としてもよい。
【０１４７】
上記実施形態では、光源冷却部６Ａ，６Ｂは、液体冷媒である第３冷媒ＲＥ３が内部を流通するとした。しかしながら、これに限らず、液体冷媒である第２冷媒ＲＥ２が流通するように、冷却装置が構成されていてもよい。
また、光源冷却部６Ａ，６Ｂには、第３熱交換器５３３を流通した第３冷媒ＲＥ３が分流部ＣＮ２１にて分流されて流通するとした。しかしながら、これに限らず、液体冷媒は、一方の光源冷却部６に先に供給され、他方の光源冷却部６に後に供給されてもよい。なお、一方の光源冷却部６を流通した後の液体冷媒は、当該一方の光源冷却部６を流通する前の液体冷媒より温度が高くなることから、当該一方の光源冷却部６を流通した後の液体冷媒を他方の光源冷却部に流通させると、一方の光源冷却部６と他方の光源冷却部６とで、固体光源ＳＳの冷却効率が異なってしまう。このため、上記第３冷媒ＲＥ３の流路のように、各光源冷却部６には、分流された液体冷媒が流通することが好ましい。
更に、光源冷却部６Ａ，６Ｂにそれぞれ異なる液体冷媒を流通させてもよい。この場合、光源冷却部６Ａを流通する液体冷媒の循環流路と、光源冷却部６Ｂを流通する液体冷媒の循環流路とを異ならせてもよい。
【０１４８】
上記実施形態では、光源冷却部６内に形成される液体冷媒の流路は、対応する光源アレイＳＡによる光の出射側とは反対側（−Ｎ方向側）から見て、当該光源アレイＳＡに配設される発光素子である固体光源ＳＳと重なるように形成されているとした。しかしながら、これに限らず、全ての固体光源ＳＳの温度が許容温度範囲内となるように、当該全ての固体光源ＳＳを冷却できれば、液体冷媒の流路と各固体光源ＳＳの配置領域とが必ずしも重ならなくてもよい。例えば、当該各固体光源ＳＳの配置領域の中央部分と重なり、当該配置領域の外縁部分とは重ならないように、液体冷媒の流路が形成されていてもよい。
【０１４９】
上記実施形態では、各光源冷却部６は、流入部６３８を介して凹部６３４内に液体冷媒が流通する方向である−Ｍ方向に向かうに従って温度差が大きくなるように、光源アレイＳＡの各固体光源ＳＳを冷却するとした。しかしながら、これに限らず、当該温度差が生じる方向は、他の一方向でもよく、二方向であってもよい。
また、各光源４１０１，４１０２から出射される光束の上記温度差によって生じる照度分布が、当該各光源４１０１，４１０２の配置によって光合成部材４１０３にて相殺されれば、光源冷却部６内を流通する液体冷媒の流路及び流通方向は、上記に限定されない。すなわち、第１光源４１０１を冷却する光源冷却部６Ａ及び第２光源４１０２を冷却する光源冷却部６Ｂのうち少なくとも一方の光源冷却部が、流入部６３８、流出部６２９、及び、蛇行した流路を形成する上記流路形成部を有する構成であってもよい。また、例えば、上記フィン要素６２０，６２２が＋Ｍ方向に沿って延出して、液体冷媒の流路が＋Ｍ方向に沿うように形成され、当該液体冷媒が−Ｍ方向に流通することによって、−Ｍ方向に各固体光源ＳＳの温度差が生じるように、光源冷却部６は構成されてもよい。
【０１５０】
上記実施形態では、光源冷却部６は、第２部材６３において＋Ｌ方向の中央に位置する流入部６３８から内部に流入された液体冷媒である第３冷媒ＲＥ３を、＋Ｌ方向側に位置する第１フィン６１９と、−Ｌ方向側に位置する第２フィン６２１とに分流して流通させるとした。しかしながら、これに限らず、光源冷却部に設けられるフィンは、１つでもよく、３つ以上でもよい。
また、光源冷却部６Ａ，６Ｂは、それぞれ同じ構成を有するとした。しかしながら、これに限らず、対応する光源アレイＳＡの固体光源ＳＳに上記温度差を生じさせることができれば、光源冷却部６Ａ，６Ｂは、それぞれ異なる構成を有していてもよい。
【０１５１】
上記実施形態では、各光源４１０１，４１０２から出射される光束に照度分布を生じさせる各固体光源ＳＳの温度差（−Ｍ方向における温度差）は、光源冷却部６内を流通する第３冷媒ＲＥ３の流路によって生じるとした。しかしながら、これに限らず、他の手段によって当該温度差が生じてもよい。例えば、液体冷媒に代えて、或いは、加えて、ペルチェ素子等の熱電素子を用いて、光源アレイＳＡから光源冷却部６への熱伝達効率を調整することによって、上記温度差が生じてもよい。
【０１５２】
上記実施形態では、光源冷却部６は、内部に流入された第３冷媒ＲＥ３の流通方向を、３回反転させるとした。すなわち、光源冷却部６の第１フィン６１９間を流通する第３冷媒ＲＥ３の流通方向は、第１フィン６１９における＋Ｍ方向側の端部に位置するフィン要素６２０と上記フィン要素６２０１との間では＋Ｌ方向であり、当該フィン要素６２０１とフィン要素６２０２との間では−Ｌ方向であり、当該フィン要素６２０２とフィン要素６２０３との間では＋Ｌ方向であり、当該フィン要素６２０３と−Ｍ方向側の端部に位置するフィン要素６２０との間では−Ｌ方向であり、また、当該流通方向は、３回反転されるとした。しかしながら、これに限らず、液体冷媒の流通方向の反転回数は、２回以下でも、４回以上でもよい。なお、当該反転回数を奇数回とすれば、−Ｍ方向に沿う直線上に流入部６３８及び流出部６３９のそれぞれを配置しやすくすることができる。すなわち、当該反転回数を少なくとも３以上の奇数回とすれば、各フィン要素６２０間に液体冷媒を流通させやすくすることができる。なお、第２フィン６２１においても同様である。
【０１５３】
上記実施形態では、温度検出部Ｔｈ１は、光源アレイＳＡを構成する複数の光源モジュールＳＭのそれぞれに設けられるとした。しかしながら、これに限らず、光源アレイＳＡに１つ設けられていてもよい。
また、点灯制御部９４は、温度検出部Ｔｈ１による検出結果に基づいて、光源アレイＳＡに供給される駆動電流の電流値を変化させるとした。しかしながら、これに限らず、このような点灯制御を点灯制御部９４が実行しなくてもよく、光源４１０１，４１０２のうち、一方の光源に対してのみ当該点灯制御を実行してもよい。
【０１５４】
上記実施形態では、光源用筐体ＬＣに対して、各光源冷却部６Ａ，６Ｂと、第３熱交換器５３３と、分流部ＣＮ２１及び合流部ＣＮ３１とは、絶縁されているとした。しかしながら、これに限らず、これらのうち少なくとも１つは、光源用筐体ＬＣに対して絶縁されていなくてもよく、また、液体冷媒が流通する他の構成が絶縁対象として、光源用筐体ＬＣに対して絶縁されていてもよい。
また、これら絶縁対象は、絶縁部材７１〜７５によって光源用筐体ＬＣに対して絶縁されるとした。しかしながら、これに限らず、他の手段によって絶縁されていてもよい。
【０１５５】
更に、光源用筐体ＬＣが位置決め突起ＬＣ３３を有し、光源冷却部６が位置決め孔６１５を有する構成に限らず、光源用筐体ＬＣが位置決め孔を有し、光源冷却部６等の絶縁対象が位置決め突起を有していてもよい。また、位置決め突起と、当該位置決め突起が挿入される位置決め孔のうち、一方を、第３熱交換器５３３、分流部ＣＮ２１及び合流部ＣＮ３１のうち少なくとも１つが有し、他方を、光源用筐体ＬＣが有していてもよい。この場合、上記絶縁部材７２等の第３絶縁部材を、位置決め突起ＬＣ３３と位置決め孔６１５の内面との間に介装してもよい。
また、光源冷却部６や、分流部ＣＮ２１及び合流部ＣＮ３１と同様に、第３熱交換器５３３も、ねじ等の取付部材によって、金属筐体である光源用筐体ＬＣに取付されてもよい。この場合、絶縁部材７２，７５等の第２絶縁部材によって、当該取付部材を介して光源用筐体ＬＣと第３熱交換器５３３とが電気的に接続されることを抑制してもよい。
この他、これら絶縁対象が絶縁状態にて取り付けられる金属筐体として、光源用筐体ＬＣを例示した。しかしながら、これに限らず、絶縁対象が絶縁状態にて取り付けられる部材は、光源用筐体ＬＣ等の金属筐体でなくてもよく、外装筐体２内のグランドに接続された他の金属製部材であってもよい。
【０１５６】
上記実施形態では、第２循環流路５２において第２冷媒ＲＥ２を圧送して循環させるポンプと、第３循環流路５３において第３冷媒ＲＥ３を圧送して循環させるポンプとは、同じポンプ５５であるとした。しかしながら、これに限らず、当該ポンプ５５に代えて、第２冷媒ＲＥ２を圧送するポンプと、第３冷媒ＲＥ３を圧送するポンプとを、個別に設けてもよい。
【０１５７】
上記実施形態では、プロジェクター１は、３つの光変調装置４７２（４７２Ｒ，４７２Ｇ，４７２Ｂ）を備えるとした。しかしながら、これに限らず、２つ以下、或いは、４つ以上の光変調装置を備えるプロジェクターにも、本発明を適用可能である。
上記実施形態では、画像投射装置４は、図２に示した構成及びレイアウトを有するとしたが、当該画像投射装置４の構成及びレイアウトは、適宜変更可能である。
【０１５８】
上記実施形態では、光変調装置４７２は、光入射面と光出射面とが異なる透過型の液晶パネル４７４を有するとした。しかしながら、これに限らず、光変調装置は、光入射面と光出射面とが同一となる反射型の液晶パネルを有する構成としてもよい。また、入射光束を変調して画像情報に応じた画像を形成可能な光変調装置であれば、マイクロミラーを用いたデバイス、例えば、ＤＭＤ（Digital Micromirror Device）等を利用したものなど、液晶以外の光変調装置を用いてもよい。
【０１５９】
上記実施形態では、光源装置４１は、光源として、ＬＤである固体光源ＳＳが複数配列された光源アレイＳＡをそれぞれ有する第１光源４１０１及び第２光源４１０２を備えるとした。しかしながら、これに限らず、ＬＤである固体光源に代えて、ＬＥＤ（Light Emitting Diode）等の他の固体光源を有する構成としてもよい。
【符号の説明】
【０１６０】
１…プロジェクター、４１…光源装置、４１０１…第１光源、４１０２…第２光源、４１０３…光合成部材、４７２（４７２Ｂ，４７２Ｇ，４７２Ｒ）…光変調装置、４８…投射光学装置、５３３…第３熱交換器（熱交換器、絶縁対象）、６（６Ａ）…光源冷却部（第１冷却部、絶縁対象）、６（６Ｂ）…光源冷却部（第２冷却部、絶縁対象）、６１５…位置決め孔、６１９…第１フィン（流路形成部）、６２１…第２フィン（流路形成部）、６３４…凹部（流路形成部）、６３５，６３６…突出部（流路形成部）、６３８…流入部、６３９…流出部、７１，７３，７４…絶縁部材（第１絶縁部材）、７２…絶縁部材（第２絶縁部材、第３絶縁部材）、７５…絶縁部材（第２絶縁部材）、９４…点灯制御部、ＣＮ２１…分流部（絶縁対象）、ＣＮ３１…合流部（絶縁対象）、ＬＣ…光源用筐体（金属筐体）、ＬＣ３３…位置決め突起、ＳＳ…固体光源（第１発光素子、第２発光素子）、Ｔｈ１…温度検出部。
【図１】
2020079950.tif 000003
【図２】
2020079950.tif 000004
【図３】
2020079950.tif 000005
【図４】
2020079950.tif 000006
【図５】
2020079950.tif 000007
【図６】
2020079950.tif 000008
【図７】
2020079950.tif 000009
【図８】
2020079950.tif 000010
【図９】
2020079950.tif 000011
【図１０】
2020079950.tif 000012
【図１１】
2020079950.tif 000013
【図１２】
2020079950.tif 000014
【図１３】
2020079950.tif 000015
【図１４】
2020079950.tif 000016
【図１５】
2020079950.tif 000017
【図１６】
2020079950.tif 000018
【図１７】
2020079950.tif 000019
【図１８】
2020079950.tif 000020